(57)【要約】  【課題】  洗濯を繰り返しても縫合部位に縮みによるしわが生じがたく、結合方法が簡易でコストが低い、衣料の製造方法を提供する。  【解決手段】  第一の布地１０の第一表面１１に第二の布地２０の第一表面２１を重ね合わせ、第二の布地２０の第二表面２２に熱接着性物質を有する結合媒体３０の第一表面３１を重ね合わせ、第一の布地１０、第二の布地２０、及び結合媒体３０の端部を揃える工程と、第二の布地２０を、結合媒体３０と重ね合わされていない部位で折り目２６を設けて折り返し、折り返された第二の布地２０（２８）の第二表面２２を結合媒体３０の第二表面３２に重ね合わせる工程と、第一の布地１０、第二の布地２０、結合媒体３０、及び折り返された第二の布地２０（２８）を縫合する工程と、加熱により熱接着性物質を溶融させる工程を有することを特徴とする衣料の製造方法。  【選択図】  図５
2005105475.tif 000002
【特許請求の範囲】
【請求項１】
第一の布地の第一表面に第二の布地の第一表面を直接的に又は他の部材を介在させて重ね合わせ、第二の布地の第二表面に、熱接着性物質を有するシート状部材の第一表面を直接的に又は他の部材を介在させて重ね合わせ、第一の布地、第二の布地、及びシート状部材の端部を揃える工程と、第二の布地を折り返し、折り返された第二の布地の第二表面側をシート状部材の第二表面側に折り重ねる工程と、第一の布地、第二の布地、シート状部材、及び折り返された第二の布地を縫合する工程と、加熱により熱接着性物質を溶融させる工程を有することを特徴とする衣料の製造方法。
【請求項２】
第一の布地の第一表面に第二の布地の第一表面を直接的に又は他の部材を介在させて重ね合わせ、第二の布地の第二表面に、熱接着性物質を有するシート状部材の第一表面を直接的に又は他の部材を介在させて重ね合わせ、第一の布地、第二の布地、及びシート状部材の端部を揃える工程と、第一の布地、第二の布地、及びシート状部材を縫合する工程と、第二の布地を折り返し、折り返された第二の布地の第二表面側をシート状部材の第二表面側に折り重ねる工程と、第一の布地、第二の布地、シート状部材、及び折り返された第二の布地をさらに縫合する工程と、加熱により熱接着性物質を溶融させる工程を有することを特徴とする衣料の製造方法。
【請求項３】
第一の布地の第一表面に第二の布地の第一表面を直接的に又は他の部材を介在させて重ね合わせ、第二の布地の第二表面に熱接着性物質を有するシート状部材の第一表面を直接的に又は他の部材を介在させて重ね合わせ、第一の布地、第二の布地、及びシート状部材をともに裁断することによりこれらの端部を揃える工程と、第一の布地、第二の布地、及びシート状部材の上記端部をかがり縫いする工程と、第二の布地を折り返し、折り返された第二の布地の第二表面側をシート状部材の第二表面側に折り重ねる工程と、第一の布地、第二の布地、シート状部材、及び折り返された第二の布地をさらに縫合する工程と、加熱により熱接着性物質を溶融させる工程を有することを特徴とする衣料の製造方法。
【請求項４】
第一の布地、第二の布地、及びシート状部材を上記端部と異なる部位で縫合する工程と、当該縫合部分から第二の布地を折り返すことを特徴とする請求項１乃至３のいずれかに記載の衣料の製造方法。
【請求項５】
かがり縫いの端部から第二の布地を折り返すことを特徴とする請求項３に記載の衣料の製造方法。
【請求項６】
第一の布地、第二の布地、及びシート状部材の上記端部をかがり縫いする工程の後、シート状部材と第二の布地の間にその他の層形成部材を挿入する工程を有することを特徴とする請求項３乃至５のいずれかに記載の衣料の製造方法。
【請求項７】
シート状部材と第二の布地の間にその他の層形成部材を挿入する工程を有することを特徴とする請求項４又は５に記載の衣料の製造方法。
【請求項８】
第二の布地を折り返す工程においては、第二の布地をシート状部材と重ね合わされていない部位で折り目を設けて折り返すことを特徴とする請求項１乃至７のいずれかに記載の衣料の製造方法。
【請求項９】
第二の布地を折り返す工程においては、シート状部材の中間部分に相当する位置で第二の布地を折り返すことを特徴とする請求項１乃至７のいずれかに記載の衣料の製造方法。
【請求項１０】
シート状部材は、テープ状であり、布帛の一面又は両面に熱接着性物質層が設けられたものであることを特徴とする請求項１乃至９のいずれかに記載の衣料の製造方法。
【請求項１１】
第一の布地、第二の布地、及びシート状部材の端部をかがり縫いする工程、又は第一の布地、第二の布地、及びシート状部材の端部を縫う工程、裁断、及び上記端部と異なる部位における縫合をインターロックミシンによって行うことを特徴とする請求項５乃至１０のいずれかに記載の衣料の製造方法である。
【請求項１２】
所定形状のパーツに裁断された布地を縫製によって結合して成形する衣料の製造方法において、少なくとも一部の布地の縫製に、シート状部材が使用され、当該シート状部材は、所定の温度では溶融しない布地を基材とし当該基材の少なくとも一方の面に熱接着性樹脂を含有する糊剤が塗布されたものであり、第一の布地の第一表面に第二の布地の第一表面を直接的に又は他の部材を介在させて重ね合わせ、第二の布地の第二表面にシート状部材を直接的に又は他の部材を介在させて重ね合わせる工程と、第一の布地、第二の布地、及びシート状部材の端部をともに裁断することによりこれらの端部を揃える工程と、第一の布地、第二の布地、及びシート状部材の上記端部を縫う工程と、第一の布地、第二の布地、及びシート状部材を、シート状部材の幅方向中間部分に相当する部位で共縫いする工程と、第一の布地及び第二の布地を前記共縫い部分から折り開き、前記共縫い部分から先の部分を第二の布地の第二表面側に重ねて第二の布地に折り目を設け、シート状部材を前記共縫い部分から折り重ねる工程と、第一の布地、第二の布地の本体側、第二の布地の折り重ね側、シート状部材の一方の折り重ね片、シート状部材の他方の折り重ね片をさらに縫合する工程と、前記縫合工程の後に加熱により熱接着性物質を溶融させる工程を有することを特徴とする衣料の製造方法。
【請求項１３】
所定形状のパーツに裁断された布地を縫製によって結合して成形する衣料の製造方法において、少なくとも一部の布地の縫製に、第一シート状部材と第二シート状部材が使用され、前記第二シート状部材は全体が所定の温度で溶融する熱接着性物質から成り、前記第一シート状部材は、所定の温度では溶融しない布地を基材とし当該基材の少なくとも一方の面に熱接着性樹脂を含有する糊剤が塗布されたものであり、第一の布地の第一表面に第二の布地の第一表面を直接的に又は他の部材を介在させて重ね合わせ、第二の布地の第二表面側に第一シート状部材を重ね合わせ、さらに前記第二シート状部材を重ねる工程と、第一の布地、第二の布地、第一シート状部材及び第二シート状部材の端部をともに裁断することによりこれらの端部を揃える工程と、第一の布地、第二の布地、第一シート状部材及び第二シート状部材の上記端部をかがり縫いする工程と、第一の布地及び第二の布地を前記かがり縫いの端部から折り開き、前記かがり縫いの端部から先の部分を第二の布地の第二表面側に重ねて第二の布地に折り目を設け、第一シート状部材を前記かがり縫いの端部から折り重ねる工程と、第一の布地、第二の布地の本体側、第二の布地の折り重ね側、第一シート状部材の一方の折り重ね片、第一シート状部材の他方の折り重ね片、第二シート状部材をさらに縫合する工程と、前記縫合工程の後に加熱により熱接着性物質を溶融させる工程を有することを特徴とする衣料の製造方法。
【請求項１４】
所定形状のパーツに裁断された布地を縫製によって結合して成形する衣料の製造方法において、少なくとも一部の布地の縫製に、シート状部材が使用され、前記シート状部材は、所定の温度では溶融しない布地を基材とし当該基材の少なくとも一方の面に熱接着性樹脂を含有する糊剤が塗布されたものであり、第一の布地の第一表面に第二の布地の第一表面を直接的に又は他の部材を介在させて重ね合わせる工程と、第一の布地及び第二の布地の端部をともに裁断することによりこれらの端部を揃える工程と、第一の布地及び第二の布地を共縫いする工程と、第一の布地、及び第二の布地の上記端部をかがり縫いする工程と、第一の布地及び第二の布地を共縫いの部分で折り開き、前記共縫いの部分から先の部分を第二の布地の第二表面側に重ねて第二の布地に折り目を設けながら、シート状部材を第二の布地の間に挿入する工程と、第一の布地、第二の布地の本体側、第二の布地の折り重ね側、シート状部材をさらに縫合する工程と、前記縫合工程の後に加熱により熱接着性物質を溶融させる工程を有することを特徴とする衣料の製造方法。
【請求項１５】
所定形状のパーツに裁断された布地を縫製によって結合して成形する衣料の製造方法において、少なくとも一部の布地の縫製に、第一シート状部材及び全体が所定の温度で溶融する熱接着性物質から成る第二シート状部材が使用され、前記第一シート状部材は、所定の温度では溶融しない布地を基材とし当該基材の少なくとも一方の面に熱接着性樹脂を含有する糊剤が塗布されたものであり、第一の布地の第一表面に第二の布地の第一表面を直接的に又は他の部材を介在させて重ね合わせ、第二の布地の第二表面に第二シート状部材を重ね合わせる工程と、第一の布地、第二の布地及び第二シート状部材の端部をともに裁断することによりこれらの端部を揃える工程と、第一の布地、第二の布地、及び第二シート状部材を共縫いする工程と、第一の布地、第二の布地及び第二シート状部材の上記端部をかがり縫いする工程と、第一の布地及び第二の布地を共縫いの部分で折り開き、前記共縫いの部分から先の部分を第二の布地の第二表面側に重ねて第二の布地に折り目を設けながら、第一シート状部材を第二の布地の間に挿入する工程と、第一の布地、第二の布地の本体側、第二の布地の折り重ね側、第二シート状部材の一方の折り重ね片、第二シート状部材の他方の折り重ね片、第一シート状部材をさらに縫合する工程と、前記縫合工程の後に加熱により熱接着性物質を溶融させる工程を有することを特徴とする衣料の製造方法。
【請求項１６】
加熱により熱接着性物質を溶融させる工程に加えて、加圧により定着させる工程を有することを特徴とする請求項１乃至１５のいずれかに記載の衣料の製造方法。
【請求項１７】
第二の布地に代わって第一の布地の他の辺部が重ねられることを特徴とする請求項１乃至１６のいずれかに記載の衣料の製造方法。
【請求項１８】
第一の布地と、二つ折りにされて第一の布地に直接的に又は他の部材を介在させて重ねられた第二の布地と、第二の布地に挟持された熱接着性物質を有するシート状部材との積層体からなり、第一の布地、第二の布地、及びシート状部材は各々の一端部を揃えてかがり縫いされており、さらに第一の布地、第二の布地、シート状部材、及び折り返された第二の布地が縫合されていることを特徴とする布帛の結合部分。
【請求項１９】
第一の布地と、二つ折りにされて第一の布地に直接的に又は他の部材を介在させて重ねられた第二の布地と、第二の布地に挟持された熱接着性物質を有するシート状部材との積層体からなり、第一の布地、第二の布地、及びシート状部材は各々の一端部を揃えてかがり縫いされており、第一の布地、第二の布地、及びシート状部材は、シート状部材の他端部の近傍でも縫合されており、さらに第一の布地、第二の布地、シート状部材、及び折り返された第二の布地が縫合されていることを特徴とする布帛の結合部分。
【請求項２０】
第一の布地と、二つ折りにされて第一の布地に直接的に又は他の部材を介在させて重ねられた第二の布地と、第二の布地に挟持された熱接着性物質を有するシート状部材との積層体からなり、第一の布地及び第二の布地は各々の一端部を揃えてかがり縫いされており、さらに第一の布地、第二の布地、シート状部材及び折り返された第二の布地が縫合されていることを特徴とする布帛の結合部分。
【請求項２１】
少なくとも第一の布地と、第二の布地と、シート状部材を備え、前記第二の布地は、本体部と折り重ね部を有し二つ折りにされて直接的に又は他の部材を介在させて第一の布地に重ねられ、第二の布地の本体部と折り重ね部の間に前記シート状部材が挟持され、少なくとも第一の布地と、第二の布地の折り重ね部は一端部が揃えてかがり縫いされており、前記かがり縫い部分と第二の布地の本体部の間に前記シート状部材があり、前記シート状部材によってかがり縫い部分が隠蔽されていることを特徴とする布帛の結合部分。
【請求項２２】
前記第二の布地の折り返し部分は、かがり縫いの端部であることを特徴とする請求項１８乃至２１のいずれかに記載の布帛の結合部分。
【請求項２３】
複数のパーツを構成する布地が縫製によって結合されて成形された衣料において、少なくとも一部の縫製結合部分に、少なくとも一部に熱接着性を備えたシート状部材が配されており、当該縫製結合部分においては、一方の布地と他方の布地が直接的に又は他の部材を介在させて重ねられており、少なくとも一方の布地と他方の布地は一端部を揃えてかがり縫いされており、かがり縫いの端部を基端として折り開かれたものであり、衣料の裏面側においては、前記基端部分よりも先端側の部位が一方の布地の裏面側に重ねられ、縫製結合部分には縫い目が設けられ、当該縫い目によって一方の布地の一部、シート状部材他方の布地の一部が縫い通されており、シート状部材とこれに接する布地間、及びシート状部材の一方の折り重ね片と他方の折り重ね片間が熱接着されていることを特徴とする衣料。
【請求項２４】
複数のパーツを構成する布地が縫製によって結合されて成形された衣料において、少なくとも一部の縫製結合部分に、少なくとも一部に熱接着性を備えたシート状部材が配されており、当該縫製結合部分においては、一方の布地と他方の布地が直接的に又は他の部材を介在させて重ねられていると共にシート状部材が幅方向の中間部分から折り重ねられた状態で挿入され、縫製結合部分には縫い目が設けられ、当該縫い目によって一方の布地の一部、シート状部材の一方の折り重ね片、シート状部材の他方の折り重ね片、他方の布地の一部が縫い通されており、シート状部材とこれに接する布地間、及びシート状部材の一方の折り重ね片と他方の折り重ね片間が熱接着されていることを特徴とする衣料。
【請求項２５】
少なくとも一方の布地と他方の布地は一端部を揃えてかがり縫いされており、かがり縫いの端部を基端として折り開かれたものであり、衣料の裏面側においては、前記基端部分よりも先端側の部位が一方の布地の裏面側に重ねられていることを特徴とする請求項２４に記載の衣料。
【請求項２６】
複数のパーツを構成する布地が縫製によって結合されて成形された衣料において、少なくとも一部の縫製結合部分に、少なくとも一部に熱接着性を備えたシート状部材が配されており、当該縫製結合部分においては、一方の布地と他方の布地が直接的に又は他の部材を介在させて重ねられ、双方の端部から幾分内側の部位が共縫いされ、当該共縫い部分から折り開かれたものであり、衣料の裏面側においては、共縫い部分よりも先端側の部位が一方の布地の裏面に重ねられ、さらに折り重ね部分の間にはシート状部材が幅方向の中間部分から折り重ねられた状態で挿入され、前記双方の布地の端部は縫われており、布地の端部と共縫い部分の中間部に縫い目が設けられ、当該縫い目によって一方の布地の一部、シート状部材の一方の折り重ね片、シート状部材の他方の折り重ね片、一方の布地の裏面側部分及び他方の布地の裏面側部分が縫い通されており、シート状部材とこれに接する布地間、及びシート状部材の一方の折り重ね片と他方の折り重ね片間が熱接着されていることを特徴とする衣料。
【請求項２７】
複数のパーツを構成する布地が縫製によって結合されて成形された衣料において、少なくとも一部の縫製結合部分に、少なくとも一部に熱接着性を備えたシート状部材が配されており、当該縫製結合部分においては、一方の布地と他方の布地及びシート状部材が直接的に又は他の部材を介在させて重ねられ、前記三者の端部から幾分内側の部位であってシート状部材の幅方向中間部分に相当する部位において一方の布地と他方の布地及びシート状部材が共縫いされ、当該共縫い部分から折り開かれたものであり、衣料の裏面側においては、共縫い部分よりも先端側の部位が一方の布地の裏面に重ねられ、さらに折り重ね部分の間にはシート状部材が幅方向の中間部分から折り重ねられた状態で挿入され、前記双方の布地及びシート状部材の端部は縫われており、前記布地の端部と共縫い部分の中間部に縫い目が設けられ、当該縫い目によって一方の布地の一部、シート状部材の一方の折り重ね片、シート状部材の他方の折り重ね片、一方の布地の裏面側部分及び他方の布地の裏面側部分が縫い通されており、シート状部材とこれに接する布地間、及びシート状部材の一方の折り重ね片と他方の折り重ね片間が熱接着されていることを特徴とする衣料。
【請求項２８】
複数のパーツを構成する布地が縫製によって結合されて成形された衣料において、少なくとも一部の縫製結合部分においては、少なくとも第一の布地と、第二の布地と、シート状部材を備え、前記第二の布地は、本体部と折り重ね部を有し二つ折りにされて第一の布地に直接的に又は他の部材を介在させて重ねられ、第二の布地の本体部と折り重ね部の間に前記シート状部材が挟持され、少なくとも第一の布地と、第二の布地の折り重ね部は一端部が揃えてかがり縫いされており、前記かがり縫い部分と第二の布地の本体部の間に前記シート状部材があり、前記シート状部材によってかがり縫い部分が隠蔽されていることを特徴とする衣料。
【請求項２９】
シート状部材の一端側が第一の布地及び第二の布地と共にかがり縫いされ、シート状部材は、二つ折りにされた状態で第二の布地の折り重ね部と本体部の間に配され、シート状部材の他端側によってかがり縫い部分が隠蔽されていることを特徴とする請求項２８に記載の衣料。
【請求項３０】
表裏両面に熱接着性物質が露出した接合媒体を有し、当該接合媒体が第一の布地及び第二の布地と共にかがり縫いされ、シート状部材は前記接合媒体を介して第二の布地の折り重ね部に接着されていることを特徴とする請求項２８又は２９に記載の衣料。
【請求項３１】
シート状部材は、所定の温度で溶融しない布地を基材とし、当該基材の一方の面に熱接着性樹脂を含有する糊剤が塗布されたものであることを特徴とする請求項２３乃至３０のいずれかに記載の衣料。
【請求項３２】
複数のパーツを構成する布地が縫製によって結合されて成形された衣料において、少なくとも一部の縫製結合部分においては、少なくとも第一の布地と、第二の布地と、第一シート状部材と、第二シート状部材を備え、前記第一シート状部材と第二シート状部材は共にテープ状の部材であって、所定の温度では溶融しない布地を基材とし当該基材の少なくとも一方の面に熱接着性樹脂を含有する糊剤が塗布されたものであり、前記第二の布地は、本体部と折り重ね部を有し二つ折りにされて第一の布地に直接的に又は他の部材を介在させて重ねられ、第二の布地の本体部と折り重ね部の間に前記第一シート状部材と第二シート状部材が挟持され、少なくとも第一の布地と、第二の布地の折り重ね部と第一シート状部材は一端部が揃えてかがり縫いされており、前記かがり縫い部分と第二の布地の本体部の間に第二シート状部材があり、前記第二シート状部材によってかがり縫い部分が隠蔽されていることを特徴とする衣料。
【請求項３３】
第二シート状部材は第一シート状部材よりも厚いことを特徴とする請求項３２に記載の衣料。
【請求項３４】
シート状部材は第二の布地の本体部に接着されていることを特徴とする請求項２３乃至３３のいずれかに記載の衣料。
【請求項３５】
一方の布地と他方の布地及びシート状部材の他に第三の布地が重ねられていることを特徴とする請求項２３乃至３４のいずれかに記載の衣料。
【請求項３６】
他方の布地に代わって一方の布地の他の辺部が重ねられていることを特徴とする請求項２３乃至３４のいずれかに記載の衣料。
【発明の詳細な説明】
【技術分野】
【０００１】
本発明は、衣料又は衣料の製造方法又は布帛の結合部分に関する。より詳しくは、布地を縫合して衣料を製造する方法又は縫合による布帛の結合部分に係る。ここでいう衣料には、シャツ等の完成品のみならず、半製品も含まれる。
【背景技術】
【０００２】
従来、衣料において、洗濯を繰り返すと縫合部位に縮みによるしわが生じやすかった。特に、ワイシャツやドレスシャツ等において、外部から見える箇所にこのようなしわが生じると、外観を大いに損なうものであった。
【０００３】
このような縮み及びしわが生じるのは、主として、洗濯による縫糸の縮小量が布地の縮小よりも大きいことによると考えられる。
【０００４】
このような縮み及びしわを防止するための衣料の製造方法に関する発明がすでに知られている（例えば、特許文献１，２，３参照。）。
【０００５】
【特許文献１】特開平７−３１０２７６号公報
【特許文献２】特開平１０−２８０２１５号公報
【特許文献３】特開平１１−２００１２７号公報
【０００６】
特許文献１，２，３において、衣料構成要素（布地）を適宜折り返して熱接着性物質からなる結合要素とともに縫い合わせた後、加熱と加圧により熱接着性物質を溶融させることにより、衣料構成要素を強固に結合し、縫合せ部分の縮みを防止し、しわを防止する旨が開示されている。
【発明の開示】
【発明が解決しようとする課題】
【０００７】
しかし、これら従来技術における衣料の製造方法は、手間が掛かり、製造コストが高くなりがちである。
【０００８】
すなわち、特開平７−３１０２７６号公報（特許文献１）記載の発明では、第１衣料構成要素２０、第２衣料構成要素２２、結合要素３２をまず縫合するが、これらの間の位置ぎめが難しい。また、この縫合の後で第１衣料構成要素２０を折り返すのみならず、第２衣料構成要素２２を折り畳んで、その折曲げ部を第２衣料構成要素２２自身と結合要素３２の間に入れるが、これも作業がしにくい。また、同公報の図面では、第１衣料構成要素２０と第２衣料構成要素２２の端部を突き合わせるようになっているが、実際には、突合せ部に空隙が生じて強度が低下するか、逆に重なりが生じて美観を害することになりやすい。
【０００９】
特開平１０−２８０２１５号公報（特許文献２）記載の発明は、ポケットの取付けに関するものであるが、第１衣類構成要素２０の縁部で結合ストリップ３４を包むようにして第２衣類構成要素４０上で位置ぎめするためには、第１衣類構成要素２０と結合ストリップ３４を一旦仮留め又は縫合する必要があり、手間がかかっていた。
【００１０】
特開平１１−２００１２７号公報（特許文献３）記載の発明においても、第１衣類構成要素１８と第２衣類構成要素２０の両方を折り畳むので手間がかかる。また、結合部において第１衣類構成要素、第２衣類構成要素ともに二重になっているので、計四重となり、結合部があまりに堅くなりすぎる場合があった。
【００１１】
本発明は、このような問題点に対し、洗濯を繰り返しても縫合部位に縮みによるしわが生じがたいのみならず、手間がかからず、結合方法が簡易で製造コストが低い、衣料の製造方法及び布帛の結合部分を提供することを、解決すべき課題とする。
【課題を解決するための手段】
【００１２】
上記の課題を解決するため、請求項１記載の本発明の衣料の製造方法は、第一の布地の第一表面に第二の布地の第一表面を直接的に又は他の部材を介在させて重ね合わせ、第二の布地の第二表面に、熱接着性物質を有するシート状部材の第一表面を直接的に又は他の部材を介在させて重ね合わせ、第一の布地、第二の布地、及びシート状部材の端部を揃える工程と、第二の布地を折り返し、折り返された第二の布地の第二表面側をシート状部材の第二表面側に折り重ねる工程と、第一の布地、第二の布地、シート状部材、及び折り返された第二の布地を縫合する工程と、加熱により熱接着性物質を溶融させる工程を有することを特徴とする衣料の製造方法。
【００１３】
ここで、「第一の布地の第一表面に第二の布地の第一表面を重ね合わせ」ることと「第二の布地の第二表面に熱接着性物質を有するシート状部材の第一表面を重ね合わせる」ことは、いずれを先に行ってもよく、双方同時に行ってもよい。また、「第一の布地、第二の布地、及びシート状部材の端部を揃える」とは、第一の布地、第二の布地、及びシート状部材を重ねて裁断することにより端部を揃える方法と、これらを先に裁断しておいてこれらの端部を揃える方法のいずれであってもよい。なお、これらの点は、他の請求項についても同様である。
【００１４】
「熱接着性物質」とは、加熱により溶融し、布地同士を接着し得る物質であり、例えば、熱溶融性樹脂である。熱溶融性樹脂としては、ポリアミド系、ポリエステル系、ポリエチレン系、ポリウレタン系、ポリ塩化ビニル系、ポリ酢酸ビニル系、アクリル系等の低融点合成樹脂が使用できるが、接着性、耐久性、取扱い性や風合いのソフト化等の面から、ポリエチレン系が好ましい。熱接着性物質の融点は１４０℃〜１６０℃が適当である。
この熱接着性物質を有する「シート状部材」として、布帛状のものを用いてもよいし、薄肉プラスチックシート状のものを用いてもよい。
【００１５】
縫合の方法としては、ミシンによる錠縫い（ロックステッチ）、環縫い（チェーンステッチ）、かがり縫い等を適宜選択して用いればよく、手縫いでもよいが、ミシンによる錠縫い、単環縫い等が強度上望ましい。
【００１６】
熱溶融性樹脂を溶融させるための加熱手段としては、アイロン、プレス機、コテ、ローラ加熱圧着機、高周波溶着機、超音波溶着機、ヒートシーラ等などの加熱圧着装置を適宜選択して用いることができる。
【００１７】
本発明の方法によれば、第一の布地、第二の布地、及びシート状部材の端部を揃えるので、位置ぎめが容易であり、手間がかからず、低コストとなる。
シート状部材の熱接着性物質を溶融させることにより、第一の布地、第二の布地、及び折り返された第二の布地は、固化した熱接着性物質により強固に固定され、相対移動できないので、縫糸の縮小による縫合部位の縮みやしわが生じがたい。
この製造方法は、例えばシャツのアームホール縫合せ部分やサイドシーム部分のように、２枚の布地を比較的幅の狭い重合部を設けて結合する場合に適する。
【００１８】
請求項２記載の本発明の衣料の製造方法は、第一の布地の第一表面に第二の布地の第一表面を直接的に又は他の部材を介在させて重ね合わせ、第二の布地の第二表面に、熱接着性物質を有するシート状部材の第一表面を直接的に又は他の部材を介在させて重ね合わせ、第一の布地、第二の布地、及びシート状部材の端部を揃える工程と、第一の布地、第二の布地、及びシート状部材を縫合する工程と、第二の布地を折り返し、折り返された第二の布地の第二表面側をシート状部材の第二表面側に折り重ねる工程と、第一の布地、第二の布地、シート状部材、及び折り返された第二の布地をさらに縫合する工程と、加熱により熱接着性物質を溶融させる工程を有することを特徴とする衣料の製造方法である。
【００１９】
この方法によれば、第一の布地、第二の布地、及びシート状部材の端部を揃えたところで一旦縫合することにより、結合部の強度が増す。また、以後の工程において布地等が相対的にずれることを防止して加工精度を向上することができる。なお、縫合には、ミシンによる錠縫い、環縫い、若しくはかがり縫い、又は手縫い等が含まれることは、前記と同様である。
【００２０】
請求項３記載の本発明の衣料の製造方法は、第一の布地の第一表面に第二の布地の第一表面を直接的に又は他の部材を介在させて重ね合わせ、第二の布地の第二表面に熱接着性物質を有するシート状部材の第一表面を直接的に又は他の部材を介在させて重ね合わせ、第一の布地、第二の布地、及びシート状部材をともに裁断することによりこれらの端部を揃える工程と、第一の布地、第二の布地、及びシート状部材の上記端部をかがり縫いする工程と、第二の布地を折り返し、折り返された第二の布地の第二表面側をシート状部材の第二表面側に折り重ねる工程と、第一の布地、第二の布地、シート状部材、及び折り返された第二の布地をさらに縫合する工程と、加熱により熱接着性物質を溶融させる工程を有することを特徴とする衣料の製造方法である。
【００２１】
この方法によれば、第一の布地、第二の布地、及びシート状部材をともに裁断することによりこれらの端部を迅速に揃えることができる。また、その端部（裁ち目）をかがり縫いするので、端部（裁ち目）からのほころびが防止される。
【００２２】
請求項４記載の衣料の製造方法は、第一の布地、第二の布地、及びシート状部材を上記端部と異なる部位で縫合する工程と、当該縫合部分から第二の布地を折り返すことを特徴とする請求項１乃至３のいずれかに記載の衣料の製造方法である。
【００２３】
本発明では、縫合部分から第二の布地を折り返すので、折り目部分が明確になる。
【００２４】
さらに第一の布地、第二の布地、及びシート状部材の上記端部（裁ち目）をかがり縫いするほかに、第一の布地、第二の布地、及びシート状部材を上記端部（裁ち目）と異なる部位で縫合する方法を採用すれば、結合部の強度がさらに増す。
特に、上記端部（裁ち目）と異なる部位として、シート状部材の他端部の近傍を選べば、シート状部材が安定し、操作が容易となる。
ここで、裁ち目と異なる部位における縫合の方法は、特に限定されるものではないが、ミシンによる錠縫い、単環縫い等が強度上適当である。
【００２５】
請求項５記載の衣料の製造方法は、かがり縫いの端部から第二の布地を折り返すことを特徴とする請求項３に記載の衣料の製造方法である。
【００２６】
請求項５に記載の発明によれば、第一の布地、第二の布地、シート状部材の上記端部をかがり縫いをし、前記かがり縫いの端部から先の部分を第二の布地の第二表面側に重ねて第二の布地に折り目を設けるので、共縫いを用いずに折り開くことができ、共縫いの工程を省略することも可能となる。
【００２７】
また第一の布地、第二の布地、及びシート状部材の上記端部をかがり縫いする工程の後、シート状部材と第二の布地の間にその他の層形成部材を挿入する工程を追加してもよい（請求項６）。
【００２８】
またシート状部材と第二の布地の間にその他の層形成部材を挿入する工程を追加してもよい（請求項７）。
【００２９】
第二の布地を折り返す工程においては、第二の布地をシート状部材と重ね合わされていない部位で折り目を設けて折り返すことが推奨される（請求項８）。
【００３０】
第二の布地を折り返す工程においては、シート状部材の中間部分に相当する位置で第二の布地を折り返す方策を採用することもできる（請求項９）。
【００３１】
またシート状部材は、テープ状であり、布帛の一面又は両面に熱接着性物質層が設けられたものであることが望ましい（請求項１０）。
【００３２】
この方法によれば、シート状部材がテープ状であることにより、第二の布地との重ね合わせ作業が容易となる。テープ状のシート状部材は、布帛状であってもよいし、薄肉プラスチックシート状であってもよい。
【００３３】
また請求項１１に記載の発明は、第一の布地、第二の布地、及びシート状部材の端部をかがり縫いする工程、又は第一の布地、第二の布地、及びシート状部材の端部を縫う工程、裁断、及び上記端部と異なる部位における縫合をインターロックミシンによって行うことを特徴とする請求項５乃至１０のいずれかに記載の衣料の製造方法である。
【００３４】
この方法によれば、インターロックミシンを用いることにより、裁断とほとんど同時にかがり縫いを行い、それらと並行して他の部位における縫合を行うことができるので、裁断、かがり縫い、他の部位における縫合の３工程を実質１工程とし、作業を迅速・簡易にしてコストを低減することができる。
【００３５】
また請求項１２に記載の発明は、所定形状のパーツに裁断された布地を縫製によって結合して成形する衣料の製造方法において、少なくとも一部の布地の縫製に、シート状部材が使用され、当該シート状部材は、所定の温度では溶融しない布地を基材とし当該基材の少なくとも一方の面に熱接着性樹脂を含有する糊剤が塗布されたものであり、第一の布地の第一表面に第二の布地の第一表面を直接的に又は他の部材を介在させて重ね合わせ、第二の布地の第二表面にシート状部材を直接的に又は他の部材を介在させて重ね合わせる工程と、第一の布地、第二の布地、及びシート状部材の端部をともに裁断することによりこれらの端部を揃える工程と、第一の布地、第二の布地、及びシート状部材の上記端部を縫う工程と、第一の布地、第二の布地、及びシート状部材を、シート状部材の幅方向中間部分に相当する部位で共縫いする工程と、第一の布地及び第二の布地を前記共縫い部分から折り開き、前記共縫い部分から先の部分を第二の布地の第二表面側に重ねて第二の布地に折り目を設け、シート状部材を前記共縫い部分から折り重ねる工程と、第一の布地、第二の布地の本体側、第二の布地の折り重ね側、シート状部材の一方の折り重ね片、シート状部材の他方の折り重ね片をさらに縫合する工程と、前記縫合工程の後に加熱により熱接着性物質を溶融させる工程を有することを特徴とする衣料の製造方法である。
【００３６】
シート状部材は、テープ状であることが望ましい。
本発明の衣料の製造方法は、主として縫製部分の剛性や硬度を高めることによってしわの発生を防がんとするものである。すなわち本発明の衣料の製造方法では、少なくとも一部のパーツの縫製にシート状部材が使用され、当該シート状部材は、所定の温度で溶融しない布地を基材とし、当該基材の少なくとも一方の面に熱接着性物質を含有する糊剤が塗布されたものである。
本発明の衣料の製造方法では、第一の布地、第二の布地、及びシート状部材をシート状部材の幅方向中間部分に相当する部位で共縫いする工程を備える。そして第一の布地及び第二の布地を前記共縫い部分から折り開き、共縫い部分から先の部分を第二の布地の第二表面側に重ね、シート状部材を前記共縫い部分から折り重ねる。具体的には共縫い部分から先の部分を折って、第一の布地の端部と第二の布地の端部とシート状部材の一方の折り重ね片を折り曲げ、シート状部材の一方の折り重ね片をシート状部材の他方の折り重ね片に重ねる。従って、当該部分においては、第二の布地の本体部分の第二表面側に、二つ折りにされた状態のシート状部材が積層され、さらにその背面側に第二布地の端部及び第一布地の端部が重ねられる。
そして本発明では、第一の布地、第二の布地の本体側と折り重ね側、シート状部材の一方の折り重ね片と他方の折り重ね片をさらに縫合する。
ここで本発明の衣料の製造方法では、縫合部分にシート状部材が二重に挿入されている。すなわち本発明では、テープは、二つ折りにされた状態で第二の布地の本体部分と折り重ね部分の間に挿入されている。本発明の衣料の製造方法では、上記した様にシート状部材が二重に挿入された状態で縫合されるが、テープの一方の折り重ね片と他方の折り重ね片は、自由移動を許す。そのためミシンによって縫合する際に針の貫通が容易であり、針と共にこれらを貫通する糸に局部的な力が掛かりにくい。すなわち本発明によると、縫合の際に糸に付加される力が小さい。そのため本発明の衣料の製造方法によると、縫製の際に糸に係る内部応力が小さく、糸の経時的な縮みが少なく、縫合せ部分の経時的なしわが小さいものとなる。
本発明の衣料の製造方法では、前記した縫合工程の後に加熱により熱接着性物質を溶融させる。当該工程によってテープの一方の折り重ね片と他方の折り重ね片が接着され、テープの剛性が飛躍的に高まる。そのため縫製部分の硬度と剛性が高まり、縫合せ部分の縮みが小さいものとなる。
また本発明では、共縫いの際に、シート状部材の幅方向中間部分に相当する部位で第一の布地及び第二の布地と縫合されるので、製造過程において、テープが離れてしまうことがない。すなわち二枚のテープを個別に当該部分に挿入しようとすると、それぞれのテープの位置決め等に苦労することとなるが、本発明の衣料の製造方法では、一枚のテープを使用してその中間部分を予め他の布地に縫合するため、テープの位置決めが容易である。さらに本発明では、第一の布地、第二の布地、及びシート状部材をシート状部材の幅方向中間部分に相当する部位で共縫いした後、第一の布地及び第二の布地を前記共縫い部分から折り開くが、テープはこの時に同時に折り重ねられる。そのため本発明の方法によると、テープを予め折り曲げておくといった工程は不要である。
また本発明についても、前記した発明と同様に、第一の布地、第二の布地及びシート状部材をともに裁断することによりこれらの端部を迅速に揃えることができる。また、その端部（裁ち目）を縫うので端部（裁ち目）からのほころびが防止される。なお端部はかがり縫いすることが望ましい。
【００３７】
請求項１３に記載の発明は、所定形状のパーツに裁断された布地を縫製によって結合して成形する衣料の製造方法において、少なくとも一部の布地の縫製に、第一シート状部材と第二シート状部材が使用され、前記第二シート状部材は全体が所定の温度で溶融する熱接着性物質から成り、前記第一シート状部材は、所定の温度では溶融しない布地を基材とし当該基材の少なくとも一方の面に熱接着性樹脂を含有する糊剤が塗布されたものであり、第一の布地の第一表面に第二の布地の第一表面を直接的に又は他の部材を介在させて重ね合わせ、第二の布地の第二表面側に第一シート状部材を重ね合わせ、さらに前記第二シート状部材を重ねる工程と、第一の布地、第二の布地、第一シート状部材及び第二シート状部材の端部をともに裁断することによりこれらの端部を揃える工程と、第一の布地、第二の布地、第一シート状部材及び第二シート状部材の上記端部をかがり縫いする工程と、第一の布地及び第二の布地を前記かがり縫いの端部から折り開き、前記かがり縫いの端部から先の部分を第二の布地の第二表面側に重ねて第二の布地に折り目を設け、第一シート状部材を前記かがり縫いの端部から折り重ねる工程と、第一の布地、第二の布地の本体側、第二の布地の折り重ね側、第一シート状部材の一方の折り重ね片、第一シート状部材の他方の折り重ね片、第二シート状部材をさらに縫合する工程と、前記縫合工程の後に加熱により熱接着性物質を溶融させる工程を有することを特徴とする衣料の製造方法
【００３８】
本発明の衣服の製造方法によると、少なくとも一部のパーツの縫製に第一シート状部材が使用され、当該第一シート状部材は、所定の温度で溶融しない布地を基材とし、当該基材の少なくとも一方の面に熱接着性物質を含有する糊剤が塗布され、さらに、全体が所定の温度で溶融する熱接着性物質から成る第二シート状部材が使用されているので、縫製部分の剛性や硬度を高めることによってしわの発生を防ぐことができる。
また、第一の布地、第二の布地、第一シート状部材及び第二シート状部材の上記端部をかがり縫いをし、前記かがり縫いの端部から先の部分を第二の布地の第二表面側に重ねて第二の布地に折り目を設けるので、共縫いを用いずに折り開くことができ、共縫いの工程を省略することが可能となる。
なお第一、第二シート状部材は、テープ状であることが望ましい。
【００３９】
請求項１４に記載の発明は、所定形状のパーツに裁断された布地を縫製によって結合して成形する衣料の製造方法において、少なくとも一部の布地の縫製に、シート状部材が使用され、前記シート状部材は、所定の温度では溶融しない布地を基材とし当該基材の少なくとも一方の面に熱接着性樹脂を含有する糊剤が塗布されたものであり、第一の布地の第一表面に第二の布地の第一表面を直接的に又は他の部材を介在させて重ね合わせる工程と、第一の布地及び第二の布地の端部をともに裁断することによりこれらの端部を揃える工程と、第一の布地及び第二の布地を共縫いする工程と、第一の布地、及び第二の布地の上記端部をかがり縫いする工程と、第一の布地及び第二の布地を共縫いの部分で折り開き、前記共縫いの部分から先の部分を第二の布地の第二表面側に重ねて第二の布地に折り目を設けながら、シート状部材を第二の布地の間に挿入する工程と、第一の布地、第二の布地の本体側、第二の布地の折り重ね側、シート状部材をさらに縫合する工程と、前記縫合工程の後に加熱により熱接着性物質を溶融させる工程を有することを特徴とする衣料の製造方法である。
【００４０】
請求項１５に記載の発明は、所定形状のパーツに裁断された布地を縫製によって結合して成形する衣料の製造方法において、少なくとも一部の布地の縫製に、第一シート状部材及び全体が所定の温度で溶融する熱接着性物質から成る第二シート状部材が使用され、前記第一シート状部材は、所定の温度では溶融しない布地を基材とし当該基材の少なくとも一方の面に熱接着性樹脂を含有する糊剤が塗布されたものであり、第一の布地の第一表面に第二の布地の第一表面を直接的に又は他の部材を介在させて重ね合わせ、第二の布地の第二表面に第二シート状部材を重ね合わせる工程と、第一の布地、第二の布地及び第二シート状部材の端部をともに裁断することによりこれらの端部を揃える工程と、第一の布地、第二の布地、及び第二シート状部材を共縫いする工程と、第一の布地、第二の布地及び第二シート状部材の上記端部をかがり縫いする工程と、第一の布地及び第二の布地を共縫いの部分で折り開き、前記共縫いの部分から先の部分を第二の布地の第二表面側に重ねて第二の布地に折り目を設けながら、第一シート状部材を第二の布地の間に挿入する工程と、第一の布地、第二の布地の本体側、第二の布地の折り重ね側、第二シート状部材の一方の折り重ね片、第二シート状部材の他方の折り重ね片、第一シート状部材をさらに縫合する工程と、前記縫合工程の後に加熱により熱接着性物質を溶融させる工程を有することを特徴とする衣料の製造方法である。
【００４１】
請求項１４及び請求項１５に記載の発明によれば、共縫いの部分から先の部分を第二の布地の第二表面側に重ねて第二の布地に折り目を設けながら、第一シート状部材を第二の布地の間に挿入するので、第一シート状部材のかがり縫いが不要となり、第一シート状部材によって縫い目を覆うことができる。
すなわち、かがり縫いは内部に位置し、第一の布地又は第二の布地によって覆われているが、かかる布地が厚みが薄い場合や色の薄い場合には、縫い目が透けて見えてしまう。しかしながら、かがり縫いがされない第一シート状部材によって、縫い目を覆うことができるので、外部から縫い目が見えるのを防ぐことができる。
特に、請求項１５に記載の発明によれば、全体が所定の温度で溶融する熱接着性物質から成る第二シート状部材を用いているので、強固に固定することができる。
【００４２】
請求項１６記載の衣料の製造方法は、加熱により熱接着性物質を溶融させる工程に加えて、加圧により定着させる工程を有することを特徴とする請求項１乃至１５のいずれかに記載の衣料の製造方法である。
【００４３】
この方法によれば、加圧により、折り目等が定着し、結合部分の厚みが減少する。また、第一の布地、第二の布地、及び折り返された第二の布地が緊密に接触し、さらに、シート状部材が圧迫されるため、溶融した熱接着性物質が各布地によく浸透する。したがって、緊密な結合が得られる。
ここで、「加圧により折り目を定着させる工程」を「加熱により熱接着性物質を溶融させる工程」と同時に実施して１工程化するのが、作業の迅速・簡易化のために好ましいが、「加熱により熱接着性物質を溶融させる工程」の後に「加圧により折り目を定着させる工程」を実施してもよい。
【００４４】
また上記した発明は、いずれも第一の布地と第二の布地を接合するものとして説明したが、例えば袖の部分のように、一つのパーツを環状に結合する場合も本発明を適用することができる。すなわち請求項１７に記載の発明は、第二の布地に代わって第一の布地の他の辺部が重ねられることを特徴とする請求項１乃至１６のいずれかに記載の衣料の製造方法である。
【００４５】
また請求項１８記載の本発明の布帛の結合部分は、第一の布地と、二つ折りにされて第一の布地に直接的に又は他の部材を介在させて重ねられた第二の布地と、第二の布地に挟持された熱接着性物質を有するシート状部材との積層体からなり、第一の布地、第二の布地、及びシート状部材は各々の一端部を揃えてかがり縫いされており、さらに第一の布地、第二の布地、シート状部材、及び折り返された第二の布地が縫合されていることを特徴とする布帛の結合部分である。
【００４６】
本請求項記載の発明でも、第一の布地、第二の布地、結合媒体、及び折り返された第二の布地を縫合する方法は、ミシンによる錠縫い、環縫い、かがり縫い等を適宜選択して用いればよく、手縫いでもよいが、ミシンによる錠縫い、単環縫い等が強度上望ましい。
本発明の布帛の結合部分では、結合媒体の熱接着性物質を溶融させることにより、第一の布地、第二の布地、及び折り返された第二の布地は、固化した熱接着性物質により強固に固定され、相対移動できないので、縫糸の縮小によって縫合部位に縮みが生じがたい。
また、第一の布地、第二の布地、及び結合媒体の端部を揃えたところでかがり縫いされているので、端部（裁ち目）からのほころびが防止され、結合部の強度が増している。
【００４７】
請求項１９記載の本発明は、第一の布地と、二つ折りにされて第一の布地に直接的に又は他の部材を介在させて重ねられた第二の布地と、第二の布地に挟持された熱接着性物質を有するシート状部材との積層体からなり、第一の布地、第二の布地、及びシート状部材は各々の一端部を揃えてかがり縫いされており、第一の布地、第二の布地、及びシート状部材は、シート状部材の他端部の近傍でも縫合されており、さらに第一の布地、第二の布地、シート状部材、及び折り返された第二の布地が縫合されていることを特徴とする布帛の結合部分である。
【００４８】
この布帛の結合部分では、第一の布地、第二の布地、及び結合媒体は、一端部でかがり縫いされているほかに、結合媒体の他端部の近傍でも縫合されているので、結合部の強度がさらに増している。
ここで、他端部の近傍における縫合の方法は、特に限定されるものではないが、ミシンによる錠縫い、単環縫い等が強度上適当である。
【００４９】
請求項２０に記載の発明は、第一の布地と、二つ折りにされて第一の布地に直接的に又は他の部材を介在させて重ねられた第二の布地と、第二の布地に挟持された熱接着性物質を有するシート状部材との積層体からなり、第一の布地及び第二の布地は各々の一端部を揃えてかがり縫いされており、さらに第一の布地、第二の布地、シート状部材及び折り返された第二の布地が縫合されていることを特徴とする布帛の結合部分である。
【００５０】
請求項２０に記載の発明によれば、テープ部材がかがり縫いされていないので、テープ部材によって縫い目を覆うことができる。すなわち、かがり縫いは内部に位置し、第一の布地又は第二の布地によって覆われているが、かかる布地が厚みが薄い場合や色の薄い場合には、縫い目が透けて見えてしまう。しかしながら、かがり縫いがされないテープ部材によって、縫い目を覆うことができるので、外部から縫い目が見えるのを防ぐことができる。
【００５１】
請求項２１に記載の発明は、少なくとも第一の布地と、第二の布地と、シート状部材を備え、前記第二の布地は、本体部と折り重ね部を有し二つ折りにされて直接的に又は他の部材を介在させて第一の布地に重ねられ、第二の布地の本体部と折り重ね部の間に前記シート状部材が挟持され、少なくとも第一の布地と、第二の布地の折り重ね部は一端部が揃えてかがり縫いされており、前記かがり縫い部分と第二の布地の本体部の間に前記シート状部材があり、前記シート状部材によってかがり縫い部分が隠蔽されていることを特徴とする布帛の結合部分である。
【００５２】
本発明についてもシート状部材によってかがり縫い部分が隠蔽されているので、外部からかがり縫いの縫い目が見えることを防ぐことができる。
【００５３】
また請求項２２に記載の発明は、前記第二の布地の折り返し部分は、かがり縫いの端部であることを特徴とする請求項１８乃至２１のいずれかに記載の布帛の結合部分である。
【００５４】
請求項２２に記載の発明によれば、この布帛の結合部分では、共縫いを用いずに折り開くことができる。
【００５５】
請求項２３記載の発明は、複数のパーツを構成する布地が縫製によって結合されて成形された衣料において、少なくとも一部の縫製結合部分に、少なくとも一部に熱接着性を備えたシート状部材が配されており、当該縫製結合部分においては、一方の布地と他方の布地が直接的に又は他の部材を介在させて重ねられており、少なくとも一方の布地と他方の布地は一端部を揃えてかがり縫いされており、かがり縫いの端部を基端として折り開かれたものであり、衣料の裏面側においては、前記基端部分よりも先端側の部位が一方の布地の裏面側に重ねられ、縫製結合部分には縫い目が設けられ、当該縫い目によって一方の布地の一部、シート状部材他方の布地の一部が縫い通されており、シート状部材とこれに接する布地間、及びシート状部材の一方の折り重ね片と他方の折り重ね片間が熱接着されていることを特徴とする衣料である。
【００５６】
本発明の衣料は、主として縫製部分の剛性や硬度を高めることによってしわの発生を防がんとするものである。本発明の衣料では、テープ部材とこれに接する布地とが接着されている。そのため縫製部分の硬度と剛性が高まり、縫合せ部分の縮みが小さいものとなる。
【００５７】
また請求項２４に記載の発明は、複数のパーツを構成する布地が縫製によって結合されて成形された衣料において、少なくとも一部の縫製結合部分に、少なくとも一部に熱接着性を備えたシート状部材が配されており、当該縫製結合部分においては、一方の布地と他方の布地が直接的に又は他の部材を介在させて重ねられていると共にシート状部材が幅方向の中間部分から折り重ねられた状態で挿入され、縫製結合部分には縫い目が設けられ、当該縫い目によって一方の布地の一部、シート状部材の一方の折り重ね片、シート状部材の他方の折り重ね片、他方の布地の一部が縫い通されており、シート状部材とこれに接する布地間、及びシート状部材の一方の折り重ね片と他方の折り重ね片間が熱接着されていることを特徴とする衣料である。
【００５８】
請求項２４に記載の発明の衣料についても主として縫製部分の剛性や硬度を高めることによってしわの発生を防がんとするものである。すなわち本発明の衣料では、少なくとも一部の縫製結合部分にテープ部材が配され、当該テープ部材は、少なくとも一部に熱接着性を備える。
本発明の衣料では、縫製結合部分においては、一方の布地と他方の布地が重ねられていると共にテープ部材が幅方向の中間部分から折り重ねられた状態で挿入され、縫製結合部分には縫い目が設けられ、当該縫い目によって一方の布地の一部、テープ部材の一方の折り重ね片、テープ部材の他方の折り重ね片、他方の布地の一部が縫い通されている。この様に本発明の衣料の製造方法では、縫合部分にテープ部材が折り重ねられて二重に挿入されている。しかしながら、縫製の際には、テープ部材の一方の折り重ね片、テープ部材の他方の折り重ね片を未接着状態にしておくことが可能であるから、ミシンによって当該部分を縫合する際に針の貫通が容易であり、針と共にこれらを貫通する糸に局部的な力が掛かりにくい。そのため本発明の衣料は、縫製の際に糸に掛かる内部応力が小さく、糸の経時的な縮みが少なく、縫合せ部分の経時的なしわが小さいものとなる。
また本発明の衣料では、テープの一方の折り重ね片と他方の折り重ね片が接着されているので、テープの剛性が高い。さらに本発明の衣料では、テープ部材とこれに接する布地とが接着されている。そのため縫製部分の硬度と剛性が高まり、縫合せ部分の縮みが小さいものとなる。
【００５９】
また少なくとも一方の布地と他方の布地は一端部を揃えてかがり縫いされており、かがり縫いの端部を基端として折り開かれたものであり、衣料の裏面側においては、前記基端部分よりも先端側の部位が一方の布地の裏面側に重ねられていることが推奨される（請求項２５）。
【００６０】
請求項２６に記載の発明は、複数のパーツを構成する布地が縫製によって結合されて成形された衣料において、少なくとも一部の縫製結合部分に、少なくとも一部に熱接着性を備えたシート状部材が配されており、当該縫製結合部分においては、一方の布地と他方の布地が直接的に又は他の部材を介在させて重ねられ、双方の端部から幾分内側の部位が共縫いされ、当該共縫い部分から折り開かれたものであり、衣料の裏面側においては、共縫い部分よりも先端側の部位が一方の布地の裏面に重ねられ、さらに折り重ね部分の間にはシート状部材が幅方向の中間部分から折り重ねられた状態で挿入され、前記双方の布地の端部は縫われており、布地の端部と共縫い部分の中間部に縫い目が設けられ、当該縫い目によって一方の布地の一部、シート状部材の一方の折り重ね片、シート状部材の他方の折り重ね片、一方の布地の裏面側部分及び他方の布地の裏面側部分が縫い通されており、シート状部材とこれに接する布地間、及びシート状部材の一方の折り重ね片と他方の折り重ね片間が熱接着されていることを特徴とする衣料である。
【００６１】
本発明の衣料は、前記した請求項２４に記載の衣料の構成を全て備えるものであり先の発明の作用効果を全て具備する。
そしてさらに本発明では、一方の布地が他方の布地が重ねられた状態で、双方の端部から幾分内側の部位が共縫いされ、当該共縫い部分から折り開かれた構成を備える。そのため本発明の衣料は、布地の合わせ目が綺麗である。
また本発明の衣料は、双方の布地の端部がかがり縫いされている。そのため端部からのほころびが防止される。
また本発明の衣料では、布の端部と共縫い部分の中間部に縫い目が設けられ、当該縫い目によって一方の布地の一部、テープ部材の一方の折り重ね片、テープ部材の他方の折り重ね片、一方の布地の裏面側部分及び他方の布地の裏面側部分が縫い通されている。
【００６２】
請求項２７に記載の発明は、複数のパーツを構成する布地が縫製によって結合されて成形された衣料において、少なくとも一部の縫製結合部分に、少なくとも一部に熱接着性を備えたシート状部材が配されており、当該縫製結合部分においては、一方の布地と他方の布地及びシート状部材が直接的に又は他の部材を介在させて重ねられ、前記三者の端部から幾分内側の部位であってシート状部材の幅方向中間部分に相当する部位において一方の布地と他方の布地及びシート状部材が共縫いされ、当該共縫い部分から折り開かれたものであり、衣料の裏面側においては、共縫い部分よりも先端側の部位が一方の布地の裏面に重ねられ、さらに折り重ね部分の間にはシート状部材が幅方向の中間部分から折り重ねられた状態で挿入され、前記双方の布地及びシート状部材の端部は縫われており、前記布地の端部と共縫い部分の中間部に縫い目が設けられ、当該縫い目によって一方の布地の一部、シート状部材の一方の折り重ね片、シート状部材の他方の折り重ね片、一方の布地の裏面側部分及び他方の布地の裏面側部分が縫い通されており、シート状部材とこれに接する布地間、及びシート状部材の一方の折り重ね片と他方の折り重ね片間が熱接着されていることを特徴とする衣料である。
【００６３】
本発明の衣料についても、先に記載した請求項２４，２６の衣料の構成を全て備えるものであり先の発明の作用効果を全て具備し、さらに別の構成要件が付加されたものである。
すなわち本発明の衣料は、主として縫製部分の剛性や硬度を高めることによってしわの発生を防がんとするものである。本発明の衣料では、一方の布地、他方の布地、及びテープ部材をテープ部材の幅方向中間部分に相当する部位で共縫いされている。そして一方の布地及び他方の布地が前記共縫い部分から折り開かれており、一方の布地の端部と他方の布地の端部とテープ部材の一方の折り重ね片とを他方の布地の第二表面側に重ねられている。従って、当該部分においては、他方の布地の本体部分の第二表面側に、二つ折りにされた状態のテープ部材が積層され、さらにその背面側に他方布地の端部及び一方の布地の端部が重ねられている。
そして本発明の衣料では、一方の布地、他方の布地の本体側と折り重ね側、テープ部材の一方の折り重ね片と他方の折り重ね片が縫合されている。
ここで本発明の衣料では、縫合部分にテープ部材が二重に挿入されている。すなわち本発明では、テープは、二つ折りにされた状態で他方の布地の本体部分と折り重ね部分の間に挿入されている。この様に本発明の衣料の製造方法では、縫合部分にテープ部材が折り重ねられて二重に挿入されている。しかしながら、縫製の際には、テープ部材の一方の折り重ね片、テープ部材の他方の折り重ね片を未接着状態にしておくことが可能であるから、ミシンによって当該部分を縫合する際に針の貫通が容易であり、針と共にこれらを貫通する糸に局部的な力が掛かりにくい。そのため本発明の衣料は、縫製の際に糸に係る内部応力が小さく、糸の経時的な縮みが少なく、縫合せ部分の経時的なしわが小さいものとなる。
また本発明の衣料では、テープの一方の折り重ね片と他方の折り重ね片が接着されているので、テープの剛性が高い。そのため縫製部分の硬度と剛性が高まり、縫合せ部分の縮みが小さいものとなる。
また本発明では、テープ部材の幅方向中間部分に相当する部位で一方の布地及び他方の布地と縫合されるので、製造過程において、テープが離れてしまうことがない。すなわち二枚のテープを個別に当該部分に挿入しようとすると、それぞれのテープの位置決め等に苦労することとなるが、本発明の衣料の製造方法では、一枚のテープを使用してその中間部分を予め他の布地に縫合するため、テープの位置決めが容易である。さらに本発明では、一方の布地、他方の布地、及びテープ部材をテープ部材の幅方向中間部分に相当する部位で共縫され、一方の布地及び他方の布地が前記共縫い部分から折り開かれているが、テープはこの時に同時に折り重ねられる。そのため本発明の衣料を縫製する際には、テープを予め折り曲げておくといった工程は不要である。
また本発明についても、前記した発明と同様に、一方の布地、他方の布地及びテープ部材をともに裁断することによりこれらの端部を迅速に揃えることができる。また、その端部（裁ち目）をかがり縫いするので、端部（裁ち目）からのほころびが防止される。
【００６４】
また請求項２８に記載の発明は、複数のパーツを構成する布地が縫製によって結合されて成形された衣料において、少なくとも一部の縫製結合部分においては、少なくとも第一の布地と、第二の布地と、シート状部材を備え、前記第二の布地は、本体部と折り重ね部を有し二つ折りにされて第一の布地に直接的に又は他の部材を介在させて重ねられ、第二の布地の本体部と折り重ね部の間に前記シート状部材が挟持され、少なくとも第一の布地と、第二の布地の折り重ね部は一端部が揃えてかがり縫いされており、前記かがり縫い部分と第二の布地の本体部の間に前記シート状部材があり、前記シート状部材によってかがり縫い部分が隠蔽されていることを特徴とする衣料である。
【００６５】
本発明の衣料は、縫製部分にかがり縫い部分がある。当該かがり縫いの部分が透けて見えると、見栄えが悪いものであるが、本発明では、かがり縫い部分と第二の布地の本体部の間に前記シート状部材があり、前記シート状部材によってかがり縫い部分が隠蔽されている。そのためシート状部材によってかがり縫いの縫い目を覆うことができる。
【００６６】
請求項２９に記載の発明は、シート状部材の一端側が第一の布地及び第二の布地と共にかがり縫いされ、シート状部材は、二つ折りにされた状態で第二の布地の折り重ね部と本体部の間に配され、シート状部材の他端側によってかがり縫い部分が隠蔽されていることを特徴とする請求項２８に記載の衣料である。
【００６７】
本発明の衣料では、シート状部材は、二つ折りにされた状態で第二の布地の折り重ね部と本体部の間に配されているが、当該シート状部材の一端側は第一の布地及び第二の布地と共にかがり縫いされている。そのため縫製作業時のシート部材の位置決め作業が容易である。
本発明では、シート状部材の他端側によってかがり縫い部分が隠蔽している。
【００６８】
また請求項３０に記載の発明は、表裏両面に熱接着性物質が露出した接合媒体を有し、当該接合媒体が第一の布地及び第二の布地と共にかがり縫いされ、シート状部材は前記接合媒体を介して第二の布地の折り重ね部に接着されていることを特徴とする請求項２８又は２９に記載の衣料である。
【００６９】
本発明の衣料では、表裏両面に熱接着性物質が露出した接合媒体を使用し、この接合媒体によってシート状部材を接着している。そのため本発明の衣料では、シート状部材が強固に固定され、洗濯を繰り返してもしわが生じにくい。
なお「表裏両面に熱接着性物質が露出した接合媒体」とは例えば全部が熱接着性物質で作られたシートやテープの他、基材の両面に熱接着性物質の層が設けられたシート等が挙げられる。
【００７０】
またシート状部材は、所定の温度で溶融しない布地を基材とし、当該基材の一方の面に熱接着性樹脂を含有する糊剤が塗布されたものを採用することができる（請求項３１）。      
【００７１】
本発明の衣料で採用するテープ部材は、所定の温度で溶融しない布地を基材とする。そのためテープ自体が強度向上機能を持つ。またテープ部材は、二つ折りにされるが、一方の面に塗布された熱接着性樹脂によって折り返し片同士が互いに接着される。
【００７２】
また請求項３２に記載の発明は、複数のパーツを構成する布地が縫製によって結合されて成形された衣料において、少なくとも一部の縫製結合部分においては、少なくとも第一の布地と、第二の布地と、第一シート状部材と、第二シート状部材を備え、前記第一シート状部材と第二シート状部材は共にテープ状の部材であって、所定の温度では溶融しない布地を基材とし当該基材の少なくとも一方の面に熱接着性樹脂を含有する糊剤が塗布されたものであり、前記第二の布地は、本体部と折り重ね部を有し二つ折りにされて第一の布地に直接的に又は他の部材を介在させて重ねられ、第二の布地の本体部と折り重ね部の間に前記第一シート状部材と第二シート状部材が挟持され、少なくとも第一の布地と、第二の布地の折り重ね部と第一シート状部材は一端部が揃えてかがり縫いされており、前記かがり縫い部分と第二の布地の本体部の間に第二シート状部材があり、前記第二シート状部材によってかがり縫い部分が隠蔽されていることを特徴とする衣料である。
【００７３】
本発明の衣料では、二枚のシート部材を使用し、一方のシート状部材によってかがり縫い部分を隠蔽するものである。
【００７４】
また二枚のシートは同一のものを使用しても良いが、第二シート状部材は第一シート状部材よりも厚いことが望ましい（請求項３３）。
【００７５】
すなわち二枚のシート状部材は互いに接着し合うと共に、それぞれ隣接する布地と接着していることが望ましい。そのためにはシート状部材の基材は熱接着性樹脂を透過しやすいものが望ましいと言える。一方、第二シート状部材は、かがり縫い部分を隠蔽することを主たる目的とするから厚いものであることが望ましい。
そこで第一シート状部材は、第二シート状部材と強固に接着させるために薄いものを採用することが望ましく。第二シート状部材は、かがり縫い部分を隠蔽する効果を高めるために厚いものを採用することが望ましい。
【００７６】
またシート状部材は第二の布地の本体部に接着されていることが望ましい（請求項３４）。
【００７７】
また請求項３５に記載の発明は、一方の布地と他方の布地及びシート状部材の他に第三の布地が重ねられていることを特徴とする請求項２３乃至３４のいずれかに記載の衣料である。
【００７８】
本発明は、ワイシャツ等のヨーク部分の構造として特に好適である。
【００７９】
また上記した発明は、いずれも一方の布地と他方の布地を接合するものとして説明したが、例えば袖の部分のように、一つのパーツを環状に結合する場合も本発明を適用することができる。すなわち請求項３６に記載の発明は、他方の布地に代わって一方の布地の他の辺部が重ねられていることを特徴とする請求項２３乃至３４のいずれかに記載の衣料である。
【発明の効果】
【００８０】
本発明の方法により製造された衣料又は本発明による布帛の結合部分は、結合方法が簡易で手間がかからず、低コストでありながら、縫合部位（結合部分）が強固である。また、外観がよく、風合いにすぐれている。さらに、縫合部位の耐久性が向上し、洗濯を繰り返しても縫合部位に縮みによるしわが生じがたいので、ワイシャツ等のノーアイロン化に役立つ。
【発明を実施するための最良の形態】
【００８１】
以下、本発明のさらに具体的な実施形態を、図面を参照しつつ説明する。
【００８２】
図１乃至図１０は、本発明の第一実施形態を示す。
本実施形態は、本発明をワイシャツに適用したものである。本実施形態のワイシャツ７０（図１０）は、前身頃７１、後身頃７２、袖７３、襟７４、ヨーク７５、カフス７６といった所定形状に裁断されたパーツを縫製によって結合して作られたものである。
そして、前身頃７１と後身頃７２の合わせ部分（サイドシーム部分）８０、袖７３と前後の身頃７１，７２及びヨーク７５との接続部分（アームホール縫合せ部分）８１，８２（袖７３と後身頃７２との接続部分は図示せず）、ヨーク７５と前身頃７１及び後身頃７２との合わせ部分８３（ヨーク７５と後身頃７２との合わせ部分は図示せず）、及び袖７３の筒状部分の合わせ部分（図示せず）に本発明の特徴的構造が採用されている。
以下、説明を簡単にするために、第一の布地１０及び第二の布地２０を接合するものとして特徴的構造部分を説明する。すなわち前身頃７１と後身頃７２の合わせ部分に本発明を適用する場合においては、後身頃７２が第一の布地１０であり、前身頃７１が第二の布地２０に相当する（逆でもよい  以下同じ）。
袖７３と前後の身頃７１，７２及びヨーク７５との接続部分に本発明を適用する場合においては、袖７３が第一の布地１０であり、身頃７１，７２及びヨーク７５が第二の布地２０に相当する。またヨーク７５と前身頃７１及び後身頃７２との合わせ部分に本発明を適用する場合においては、前身頃７１及び後身頃７２が第一の布地１０であり、ヨーク７５が第二の布地２０に相当する。さらに袖７３の筒状部分の合わせ部分に本発明を適用する場合においては、袖７３の一辺側が第一の布地１０であり、他辺側が第二の布地２０に相当する。
【００８３】
以下、縫製工程を追って説明する。
なお以下の実施形態では、シート状部材としてテープ部材を使用する。
本実施形態では、第一の布地１０及び第二の布地２０として、綿とポリエステルの混紡によって製造した布地が用いられている。本実施形態では、第一の布地１０、第二の布地２０とも、衣料において表側となるべき面を第一表面とし、裏側となるべき面を第二表面と定めて説明を進めることとする。なお、図１乃至図８において、第一表面を太線で示す。
まず、図１，２に示すように、第一の布地１０と第二の布地２０の端辺１３，２３をほぼ揃えつつ、第一の布地の第一表面１１（図１における上面）に第二の布地の第一表面２１（同、下面）を重ね合わせ、さらに、第二の布地の第二表面２２（同、上面）にテープ状の結合用シート状部材（以下  テープ部材）３０の第一表面３１（同、下面）を重ね合わせる。このとき、第二の布地の上記端辺２３とテープ部材の一長辺３３をほぼ揃える。テープ部材は、ポリエチレン系である。
【００８４】
次に、図３に示すように、インターロックミシンにより、第一の布地１０、第二の布地２０、及びテープ部材３０をともに裁断することによりこれらの端部を揃え、この裁断と並行して第一の布地１０、第二の布地２０、及びテープ部材３０の裁断により生じた端部（裁ち目）１４，２４，３４をかがり縫いして縫い目４０を形成し、さらに、この裁断及びかがり縫いと並行して、第一の布地１０、第二の布地２０、及びテープ部材３０を、裁ち目と異なる部位で、より具体的にはテープ部材の他の長辺３５より僅かに内側で、縫合し、縫い目（共縫い部分）５０を形成させる。かがり縫いには縁かがり縫いを用い、端部と異なる部位における縫合には二重環縫いを用いる。
【００８５】
ここで第一の布地１０を反転して拡げると、第一の布地１０と第二の布地２０とテープ部材３０との重合部５５が立ち上がって図４に示した形状となる。すなわち第一の布地１０と第二の布地２０を縫い目（共縫い部分）５０から折り開く。
【００８６】
次いで重合部５５を第二の布地２０側へ倒せば、図５，６に示した形状となる。この図の状態を１８０°反転して見れば、第二の布地２０をテープ部材３０と重ね合わされていない部位に折り目２６を設けて折り返し、折り返された第二の布地２０の第二表面２２をテープ部材３０の第二表面３２にさらに重ね合わせたことになる。なお、折り目２６は、テープ部材３０の長辺３５よりも僅かに裁ち目２４から遠い側となる。
【００８７】
第二の布地２０は、折り目２６を境界として二つの部分２７，２８に分けて考えることができる。第一部分２７は、第一の布地１０の第一表面１１及びテープ部材３０の第一表面３１に接する部分であり、第二部分（折り返された第二の布地）２８は、テープ部材３０の第二表面３２に接する部分及びその延長部である。第二部分２８は、第二の布地２０の面積の大部分を占めている。第一部分２７は、小面積であり、また、製品となったときには見えない部分である。なお、以下で、第二部分２８を「本体部分」、第一部分２７を「折り重ね部分」ということがある。
【００８８】
そして第一の布地１０、第二の布地２０の第一部分２７、テープ部材３０、及び第二の布地２０の第二部分２８をさらにロックステッチミシンを用いて錠縫いによって縫合し、縫い目６０を形成する。次いで、第二表面１２，２２側から１６０℃のプレス機により３０秒間加熱及び加圧を行い、テープ部材３０を構成している熱接着性物質であるポリエチレン系樹脂を溶融させる。熱接着性物質が再び固化したときには、図８に示すように、第一の布地１０、第一部分２７、及び第二部分２８が熱接着性物質によって固められ、強固な結合が生じる。なお、この図において、テープ部材３０を構成していた熱接着性物質は溶融して第一の布地１０、第一部分２７、及び第二部分２８に浸透したので、テープ部材３０は図に表れなくなっている。
こうして結合された第一の布地１０及び第二の布地２０を表側（第一表面側）から見れば、図９のように折り目２６と縫い目６０が見えるだけであり、シンプルな外観が得られ、風合いにすぐれている。
【００８９】
このような布地の結合を、図１０に示すワイシャツ７０のアームホール縫合せ部分８１及びサイドシーム部分８０に用いたところ、外観、気心地、耐久性とも良好であった。
【００９０】
上記の実施形態のほかに、種々の実施形態が可能である。
例えば、結合媒体は、上記実施形態のテープ部材３０では全体が熱接着性物質からなっているのに対し、図１１，１２に示したテープ部材３０ａ，３０ｂのように、布帛３７の一方又は両方の表面に塗布又は接着により熱接着性物質の層３８が設けられたものであってもよい。この場合、加熱の後も、テープ部材３０ａ，３０ｂのうち布帛３７は結合部に残り、結合部を補強する役割を果たす。
ここで布帛３７の材質は、綿、ポリエステル、綿とポリエステルの混紡、ナイロン、レーヨン等から適宜選択すればよい。熱接着性物質は、前記の物質から適宜選択すればよい。
熱接着性物質を層状に設けず、散点状に設けてもよい。
【００９１】
また、テープ部材３０は、熱接着性物質を含有する布帛であってもよい。このようなテープ部材３０を製造する手段としては、例えば、布帛に熱接着性物質を含浸させる、又は、軟化点の低い熱可塑性の化学繊維と綿、ポリエステル等を混紡又は交織する等が挙げられる。
また、第一の布地、第二の布地、及びテープ部材を重ね合わせてまず縫合し、次いでともに裁断することによりこれらの端部を揃え、次いで第一の布地、第二の布地、及びテープ部材の上記端部をかがり縫いすることもできる。
【００９２】
第一の布地、第二の布地、及びテープ部材の三者をともに裁断するのではなく、例えば、テープ部材の端部は第一の布地及び第二の布地の端部より内側に配置しておいて、第一・第二の布地のみ裁断することもできる。
また、単に三者の端部を揃えるだけでも実施は可能である。あるいは、第一の布地及び第二の布地の端部のみを揃え、テープ部材の端部は第一の布地及び第二の布地の端部より内側になるように三者を重ねてもよい。
【００９３】
次に本発明の第二の実施形態について説明する。図１３乃至図２２は、本発明の第二実施形態を示す。なお、以下に示す実施形態の説明において、先の実施形態と同一の部材については同一の番号を付して重複した説明を省略し、また、衣料において表側となるべき面を第一表面とし、裏側となるべき面を第二表面とする。
また、図１３乃至図１９及び図２１において、第一表面を太線で示す。
第二の実施形態では、結合用シート部材としてテープ部材３０ａを使用する。テープ部材３０ａは、前述した図１１に示したテープ部材と同様に層構成を有するものであり、綿とポリエステルの混紡糸を使用して平織りされた布帛３７を基材とする。布帛３７に使用された混紡糸の太さは、身頃等のパーツのそれと大差ないが、織りの密度は、相当に低い。具体的には、糸と糸との間に目視可能な隙間がある。隙間の大きさは、０．０５〜０．２ｍｍ程度であり、溶融状態の樹脂が流れることができる程度の開口を形成している。基材たる布帛３７は、アイロンやプレスの際にかかる温度（所定温度）では溶融しない。
【００９４】
テープ部材３０ａは、その一方の面に熱接着性物質からなる糊剤が塗布されている。糊剤は、アイロンやプレスの際にかかる温度（所定温度）で溶融する。
そして本実施形態で採用するテープ部材３０ａは、先の実施形態で採用したそれに比べて約２倍の幅がある。
【００９５】
以下、縫製工程を追って説明する。
最初の工程として、先の実施形態と同様、図１３，１４に示すように、第一の布地１０と、第二の布地２０とテープ部材３０ａを重ねる。すなわち第一の布地１０と第二の布地２０の端辺１３，２３をほぼ揃えつつ、第一の布地の第一表面１１（図１３における上面）に第二の布地の第一表面２１（同、下面）を重ね合わせ、さらに、第二の布地の第二表面２２（同、上面）にテープ部材３０ａを重ねる。ここでテープ部材３０ａの糊剤塗布面３１ａ（第一表面）は、第二の布地２０と接している。
また本実施形態で採用するテープ部材３０ａは、前記した様に先の実施形態のそれよりも幅が広い。
【００９６】
次に、図１５に示すように、インターロックミシンにより、第一の布地１０、第二の布地２０、及びテープ部材３０ａをともに裁断することによりこれらの端部を揃え、この裁断と並行して第一の布地１０、第二の布地２０、及びテープ部材３０ａの裁断により生じた端部（裁ち目）１４，２４，３４をかがり縫いして縫い目４０を形成させる。
またこの裁断及びかがり縫いと並行して、第一の布地１０、第二の布地２０、及びテープ部材３０ａを共縫いする。第一の布地１０、第二の布地２０、及びテープ部材３０ａを共縫いする位置は、テープ部材３０ａの略中央であり、テープ部材３０ａの長手方向に沿って縫い進める。
【００９７】
なお先の実施形態と同様、かがり縫いには縁かがり縫いを用い、端部と異なる部位における縫合には二重環縫いを用いる。
【００９８】
そして第一の布地１０と第二の布地２０を縫い目（共縫い部分）５０から折り開く。
次いで重合部５５を図１７，１８に示すように第二の布地２０側へ折り重ねる。
ここで本実施形態では、テープ部材３０ａの幅が広く、さらにテープ部材３０ａの略中央で第一の布地１０、第二の布地２０、及びテープ部材３０ａが共縫いされている。そのため、前記した様に第一の布地１０と第二の布地２０を縫い目（共縫い部分）５０から折り開き、先端側の重合部５５を図１７，１８に示すように第二の布地２０側へ折り重ねると、テープ部材３０ａは、図の様に幅方向の中央部にある共縫い部分５０から折り曲げられ、中央部から二つ折りにされた状態となる。そしてテープ部材３０ａは、中央部から二つ折りにされた状態で第二の布地２０の本体部分２８と、折り重ね部分２７の間に挿入される。
したがって第二の布地２０の第二の表面（裏面）においては、本体部分２８と、折り重ね部分２７の間にテープ部材３０ａが二層状態で存在する。
【００９９】
本実施形態の製造方法によると、重合部５５を折り曲げる動作に伴って、テープ部材３０ａも折り曲げられるから、テープ部材３０ａを予め折り曲げておく必要はない。
またテープ部材３０ａが折り曲げられる際の基端部は、第二の布地２０が折り曲げられる際の基端部と一致するから、テープ部材３０ａは、第二の布地２０の折り曲げ部分の奥まできちんと入ることとなる。
【０１００】
当該部分における層構成をワイシャツの表面側から順次説明すると、図１８に示すように、第二の布地２０の本体部分２８、テープ部材３０ａの一方の折り重ね片、テープ部材３０ａの他方の折り重ね片、第二の布地２０の折り重ね部分２７、第一の布地１０の順に積層されている。
【０１０１】
そして前記した第二の布地２０の本体部分２８、テープ部材３０ａの一方の折り重ね片、テープ部材３０ａの他方の折り重ね片、第二の布地２０の折り重ね部分２７、第一の布地１０をロックステッチミシンを用いて錠縫いによって縫い通し、縫い目６０を形成する。縫い目６０を形成させる位置は、インターロックミシンによって裁断した第一の布地１０、第二の布地２０、及びテープ部材３０ａの端部と、前記した共縫い部分５０との中間部分であり、布の端部に近い部位である。
【０１０２】
なお縫い目６０を形成させる段階では、第二の布地２０の本体部分２８、テープ部材３０ａの一方の折り重ね片、テープ部材３０ａの他方の折り重ね片、第二の布地２０の折り重ね部分２７は、いずれも接着されておらず、フリーの状態である。また本実施形態では、テープ部材３０ａは織り目が荒い。そのため縫い目６０を形成させる際に、ミシンの針は通りがよく、運針の際の抵抗は少ない。そのため針が通過する際に、縫い糸がテープ部材３０ａ等から受ける摩擦力は小さく、糸に残留する応力は小さい。
【０１０３】
製造工程の説明に戻ると、縫い目６０の形成に次いで、第二表面１２，２２側から１６０℃のプレス機により３０秒間加熱及び加圧を行い、テープ部材３０ａの糊剤を溶融させる。
本実施形態では、テープ部材３０ａの糊剤塗布面は、第二の布地２０と接しているから、テープ部材３０ａを加熱及び加圧することによって溶融した糊剤が第二の布地２０と接し、テープ部材３０ａは第二の布地２０の本体部分２８と折り重ね部分２７に接着される。
また本実施形態で採用されるテープ部材３０ａは、織り目が荒いので、加圧によって糊剤がテープ部材３０ａ同士の内側に流れ込む。
そのためテープ部材３０ａは、二つ折りになった状態で接着固定される。
【０１０４】
熱接着性物質が再び固化したときには、テープ部材３０ａを介して第二の布地２０の本体部分２８と折り重ね部分２７が一体的に結合され、さらにその間に、二重に重なって一体固化したテープ部材３０ａが挿入されている。そのため当該縫製部分は、これらによって硬化される。
【０１０５】
こうして製作された縫製結合部は、図１９の通り、第一の布地１０と第二の布地２０及びテープ部材３０ａが重ねられたものとなっている。そして第一の布地１０と第二の布地２０及びテープ部材３０ａの端部は揃えられてかがり縫いされている。また、かがり縫い部分から幾分内側の部位であってテープ部材３０ａの幅方向中間部分に相当する部位で、第一の布地１０と第二の布地２０及びテープ部材３０ａの三者が共縫いされている。また第一の布地１０と第二の布地２０は、前記した共縫い部分５０から折り開かれ、ワイシャツの裏面側においては、共縫い部分５０よりも先端側の部位が一方の布地の裏面に重ねられている。そして折り重ね部分の間にはテープ部材３０ａが挿入されており、このテープ部材３０ａは、前記した共縫い部分５０に沿って、幅方向の中間部分から折り重ねられた状態で挿入されている。
また前記した布地の端部と共縫い部分の中間部に縫い目６０が設けられており、当該縫い目によって第二の布地２０の本体部分２８、テープ部材３０ａの一方の折り重ね片、テープ部材３０ａの他方の折り重ね片、第二の布地２０の裏面側部分（折り重ね部分２７）及び第一の布地１０の裏面側部分が縫い通されている。なお縫い目６０の位置は、前記した様に布地の端部と共縫い部分の中間部であるが、布地の端部に近い位置である。
さらに第二の布地２０の本体部及び裏面側部分とテープ部材３０ａが強固に接着され、且つテープ部材の一方の折り重ね片と他方の折り重ね片についても強固に接着されている。
【０１０６】
従来技術のワイシャツは、洗濯を繰り返すと、前記した縫い目６０の部分にしわが生じ、問題であったが、本実施形態によると、縫い目６０にしわが生じにくい。すなわち本実施形態のワイシャツでは、表面から目視される面たる、第二の布地２０の第一表面の裏に、テープ部材３０ａが二重に配備されており、二重のテープ部材３０ａは、糊剤によって一体化されると共に第二の布地２０に強固に接着されている。さらに二重に配されたテープ部材３０ａの更に裏面には、第二の布地２０の折り返し部も接着されている。そのため第二の布地２０の表面は、これらの部材によって裏打ちされ、硬度が高く、変形しにくい。
加えて、前記した様に、本実施形態のワイシャツは、縫製の際に糸にかかる負荷が小さく、糸の残留応力が小さい。そのため本実施形態のワイシャツは、洗濯を繰り返しても、縫い目６０の部分にしわが生じることは少ない。
【０１０７】
なお、前記した様に袖７３の筒状部分の合わせ部分に本発明を適用する場合においては、袖７３の一辺側が第一の布地１０であり、他辺側が第二の布地２０に相当する。袖７３の筒状部分の合わせ部分に本発明を適用した場合における袖７３の横断面図を図２０に示す。図２０の円内を拡大すると、前記した図１７，１８と同様の構造となっている。
【０１０８】
また、第二の実施形態の応用例として、ヨーク部分については、型崩れを防ぐために、第三の布地が設けられている。図２１は、ヨーク部分の構造を示す断面斜視図である。
ヨーク部分においては、図２１に示すように、第一の布地１０の裏面側に第三の布地９０が設けられている。
すなわちヨーク部分においては、第三の布地９０、第一の布地１０、第二の布地２０、及びテープ部材３０ａを、この順に積層して有し、これらの端部は揃えられてかがり縫い４０’がされている。また、テープ部材３０ａの幅方向中間部分に相当する部位で、第三の布地と第一の布地１０と第二の布地２０及びテープ部材３０ａの四者が共縫いされている。また第一の布地１０と第二の布地２０は、前記した共縫い部分５０’から折り開かれ、ワイシャツの裏面側においては、共縫い部分よりも先端側の部位が第二の布地２０の裏面に重ねられている。そして折り重ね部分の間にはテープ部材３０ａが前記した共縫い部分５０’に沿って、幅方向の中間部分から折り重ねられた状態で挿入されている。
また前記した布地の端部と共縫い部分の中間部に縫い目６０’が設けられており、当該縫い目によって第二の布地２０の本体部、テープ部材３０ａの一方の折り重ね片、テープ部材３０ａの他方の折り重ね片、第二の布地２０の裏面側部分及び第一の布地１０の裏面側部分が縫い通されている。
縫い目６０’を形成させる位置は、インターロックミシンによって裁断した第一の布地１０、第二の布地２０、第三の布地９０、及びテープ部材３０ａの端部と、前記した共縫い部分５０’との中間部分であり、共縫い部分５０’に近い部位である。
さらに第二の布地２０の本体部分２８及び裏面側部分とテープ部材３０ａが強固に接着され、且つテープ部材３０ａの一方の折り重ね片と他方の折り重ね片についても強固に接着されている。
【０１０９】
ヨーク部分についても、縫い目６０’部分は、表面から目視される面たる、第二の布地２０の第一表面の裏に、テープ部材３０ａが二重に配備されており、二重のテープ部材３０ａは、糊剤によって一体化されると共に第二の布地２０に強固に接着されている。さらに二重に配されたテープ部材３０ａの更に裏面には、第二の布地２０の折り重ね部分２７も接着されている。
そのためヨーク部分についても、縫い目６０’の部分にしわが生じることは少ない。
【０１１０】
本実施形態で採用したテープ部材３０ａは前記した様に布帛３７の一方の表面に熱接着性物質の層３８が設けられたものであるが、これに代えて図１２に示されるテープ部材３０ｂのように、布帛３７の両方の表面に塗布又は接着により熱接着性物質の層３８が設けられるものを用いることもできる。テープ部材３０ｂを使用すると、二つ折りになった状態での接着固定をより確実に行うことができる。
そして、テープ部材３０ｂを用いることにより、図２２に図示されるように、二つ折りにした状態でプレス機により加熱及び加圧されるので、熱接着性物質の層３８同士が接着され、二つ折りの内側同士が接着されて固定される。したがって、この結合部分が採用された衣料を使用し、洗濯などを行っても、この二つ折りの内側同士が外れにくく、重合部５５が外れにくく耐久性に優れる。
【０１１１】
次に本発明の第三の実施形態について説明する。図２３乃至図２８は、本発明の第三実施形態を示す。また、図２３乃至図２７において、第一表面を太線で示す。
第三の実施形態は、前記した第二の実施形態における共縫いの作業を省略したものである。
第三の実施形態では、二つのテープ部材１３１，１３２を使用する。
第一テープ部材１３１は、前述した図１１に示したテープ部材と同様に層構成を有するものであり、第二の実施形態のテープ部材と同様のものが用いられる。
第二テープ部材１３２は、主として結合媒体として機能するものであり、全体が所定の温度で溶融する熱接着性物質から成るものが用いられる。そして、第二テープ部材１３２の幅は第一テープ部材１３１の幅の２分の１前後である。
【０１１２】
第一テープ部材１３１は、その一方の面に熱接着性物質からなる糊剤が塗布されている。糊剤は、アイロンやプレスの際にかかる温度（所定温度）で溶融する。そして、第一テープ部材１３１の厚みは０．１５〜０．２０ｍｍが望ましく、具体的には０．１ｍｍのものが用いられている。第二テープ部材１３２は全体が所定の温度で溶融する熱接着性物質から成るものが用いられており、その材質は、上述したものを用いている。第二テープ部材１３２の厚みは、０．０８ｍｍ〜０．１５ｍｍが望ましく、具体的には０．１１ｍｍのものが用いられている。
【０１１３】
次に、縫製工程について説明する。
最初の工程として、図２３及び図２４に示されるように、第一の布地１０、第二の布地２０、第一テープ部材１３１及び第二テープ部材１３２を重ねる。
【０１１４】
次に、図２５に示されるように、インターロックミシンにより、第一の布地１０、第二の布地２０、第一テープ部材１３１及び第二テープ部材１３２をともに裁断することによりこれらの端部を揃え、この裁断と並行して第一の布地１０、第二の布地２０、及び第一テープ部材１３１の裁断により生じた端部（裁ち目）１４，２４，１３４，１３５をかがり縫いして縫い目４０を形成させる。なお、このかがり縫いの端部は、後に示すように、折り開く際に基準となるので、前記した実施形態のかがり縫いよりも幅広としている。
また、第二の実施形態では、この裁断及びかがり縫いと並行して共縫いが行われていたが、第三の実施形態では共縫いは行われない。したがって、共縫いの工程を省略することができ、共縫いの縫い目が表面に移ることを防止することができるので外観性を向上させることができる。なお、このように、共縫いの工程を省略して、かがり縫いの端部で折り開く方法は、他の実施形態にも用いることができる。
【０１１５】
そして、図２６に示されるように、第一の布地１０と第二の布地２０をかがり縫いの端部で折り開く。
次いで重合部５５を図２７，２８に示すように第二の布地２０側へ折り重ねて、錠縫いによって縫い通し、縫い目６０を形成する。
ここで本実施形態では、第一テープ部材１３１の幅が広く、さらに第一テープ部材１３１の略中央であって、第二テープ部材１３２の端部付近にかがり縫いの端部が位置している。そのため、前記した様に第一の布地１０と第二の布地２０をかがり縫いの端部から折り開き、先端側の重合部５５を第二の布地２０側へ折り重ねると、第一テープ部材１３１は、中央部から二つ折りにされた状態となり、さらに、第一テープ部材１３１の折りたたまれた内側に第二テープ部材１３２が位置する状態となる。
【０１１６】
そして、これらの第一テープ部材１３１と、第二テープ部材１３２は、第二の布地２０の第二の表面（裏面）の内側に位置している。
【０１１７】
本実施形態の製造方法によると、重合部５５を折り曲げる動作に伴って、第一テープ部材１３１も折り曲げられる。また第一テープ部材１３１と第二テープ部材１３２の基端部は、第二の布地２０が折り曲げられる際の基端部と一致するから、第一テープ部材１３１，第二テープ部材１３２は、第二の布地２０の折り曲げ部分の奥まできちんと入ることとなる。
【０１１８】
当該部分における層構成をワイシャツの表面側から順次説明すると、図２８に示すように、第二の布地２０の本体部分２８、第一テープ部材１３１の一方の折り重ね片、第二テープ部材１３２、第一テープ部材１３１の他方の折り重ね片、第二の布地２０の折り重ね部分２７、第一の布地１０の順に積層されている。
【０１１９】
そして、錠縫いよって縫い通し、縫い目６０を形成する。この錠縫いは、第二の布地２０の本体部分２８、第一テープ部材１３１の一方の折り重ね片、第二テープ部材１３２、第一テープ部材１３１の他方の折り重ね片、第二の布地２０の折り重ね部分２７、第一の布地１０の順に積層されたものをロックステッチミシンを用いて行う。縫い目６０を形成させる位置は、インターロックミシンによって裁断した第一の布地１０、第二の布地２０、及び第一テープ部材１３１の端部と、前記したかがり縫いの端部との中間部分であり、布の端部に近い部位である。なお、この縫い目６０を形成させる位置は、上記積層されたものを縫い付けることができれば、どの位置でもよい。
【０１２０】
縫い目６０の形成した後に、第二表面１２，２２側から１６０℃のプレス機により３０秒間加熱及び加圧を行い、第一テープ部材１３１及び第二テープ部材１３２により接着する。
本実施形態では、第一テープ部材１３１の糊剤塗布面は、第二の布地２０と接しているから、第一テープ部材１３１を加熱及び加圧することによって溶融した糊剤が第二の布地２０と接し、第一テープ部材１３１は第二の布地２０の本体部分２８と折り重ね部分２７に接着される。さらに、第二テープ部材１３２が設けられており、第一テープ部材１３１は織り目が荒いので、この加熱及び加圧によって、第二テープ部材１３２の樹脂等が溶融してより強固に接着することができる。
【０１２１】
熱接着性物質が再び固化したときには、第一テープ部材１３１を介して第二の布地２０の本体部分２８と折り重ね部分２７が一体的に結合され、さらにその間に、二重に重なって一体固化した第一テープ部材１３１が挿入されている。そのため当該縫製部分は、これらによって硬化される。
【０１２２】
こうして製作された縫製結合部は、第一の布地１０と第二の布地２０及び第一テープ部材１３１，結合部材１３２が重ねられたものとなっている。そして第一の布地１０と第二の布地２０及び第一テープ部材１３１，結合部材１３２の端部は揃えられてかがり縫いされている。また第一の布地１０と第二の布地２０は、前記したかがり縫い部分の端部から折り開かれている。そして折り重ね部分の間には第一テープ部材１３１が挿入されており、この第一テープ部材１３１は、前記したかがり縫い部分の端部に沿って、幅方向の中間部分から折り重ねられた状態で挿入されている。
また前記した布地の端部とかがり縫い部分の中間部に縫い目６０が設けられている。なお縫い目６０の位置は、布地の端部に近い位置である。
さらに第二の布地２０の本体部及び裏面側部分と第一テープ部材１３１が強固に接着され、且つ第一テープ部材１３１の一方の折り重ね片と他方の折り重ね片についても強固に接着されている。
したがって、本実施形態を用いることによって、縫い目６０にしわが生じにくい。
【０１２３】
次に本発明の第四の実施形態について説明する。図２９乃至図３３は、本発明の第四実施形態を示す。また、図２９乃至図３２において、第一表面を太線で示す。
第四の実施形態についても結合用シート状部材としてテープ部材１４０を使用する。テープ部材１４０は、図１２に示されるような布帛３７の両方の表面に塗布又は接着により熱接着性物質の層３８が設けられたテープ部材３０ｂが用いられている。この熱接着性物質は、アイロンやプレスの際にかかる温度（所定温度）で溶融する。
【０１２４】
また、本実施形態におけるテープ部材１４０は、上記の実施形態に用いられるテープ部材よりも厚めのものが用いられる。これは、テープ部材１４０が折り曲げられることがないので、テープ部材１４０が厚くても結合部分が完成した際に全体の厚みを押さえることができるからである。そして、後述するように、このテープ部材１４０によってかがり縫いの跡が表側から透けて見えるのを防止する。
また、テープ部材１４０の厚みは０．２０〜０．３０ｍｍのものが望ましく、具体的には０．２５ｍｍ程度のものが用いられている。
【０１２５】
次に、縫製工程について説明する。
最初の工程として、図２９及び図３０に示されるように、第一の布地１０、第二の布地２０を重ねる。
【０１２６】
次に、図３１に示されるように、インターロックミシンにより、第一の布地１０及び第二の布地２０をともに裁断することによりこれらの端部を揃え、この裁断と並行して第一の布地１０及び第二の布地２０の裁断により生じた端部（裁ち目）１４，２４をかがり縫いして縫い目４０を形成させる。
またこの裁断及びかがり縫いと並行して、第一の布地１０及び第二の布地２０を共縫いする。第一の布地１０及び第二の布地２０の共縫いは、長手方向に沿って縫い進める。
【０１２７】
なお先の実施形態と同様、かがり縫いには縁かがり縫いを用い、端部と異なる部位における縫合には二重環縫いを用いる。
【０１２８】
そして第一の布地１０と第二の布地２０を縫い目（共縫い部分）５０から折り開く。
次いで重合部５５を図３２に示すように第二の布地２０側へ折り重ねる。このとき、テープ部材１４０を第二の布地２０の間に挿入しながら、錠縫いよって縫い通し、縫い目６０を形成する。
なお、図３２では、右奥側から左手前側に向かって縫い進まれており、図３２で示される状態では、縫い目６０は途中段階を示している。また、重合部５５は、右奥側については錠縫いによって縫い付けられて倒れている状態であり、左手前側は、折り重ねられておらず、倒れていない状態を示している。
【０１２９】
そして、第一乃至第三実施形態では、テープ部材は、第一の布地１０と第二の布地２０を縫い目（共縫い部分）５０から折り開く前にあらかじめ第二の布地２０に縫製されるものであったが、本実施形態のテープ部材であるテープ部材１４０は、第一の布地１０と第二の布地２０を折り開く前にあらかじめ第二の布地に縫製されるものでなく、重合部５５を折り曲げて重ね合わせる際に挿入して、その後錠縫いされる。
【０１３０】
このため、テープ部材１４０はかがり縫いされることは無く、完成した状態で表側からみると、かがり縫いの部分は第二の布地２０とテープ部材１４０によって覆われる。そのためかがり縫いの部分はテープ部材１４０によって隠蔽され、見栄えが良い。
また、テープ部材１４０は上述したように、厚めのものを採用することができるので、かがり縫いの跡が表側から透けにくく、外観性が向上する。特に、後述するように、プレス機により加熱及び加圧を行ってテープ部材１４０により接着する工程を有するので、このプレス工程により、かがり縫いの糸の跡が透けやすくなるが、本実施形態ではそのようなことは起こりにくい。
【０１３１】
当該部分における層構成をワイシャツの表面側から順次説明すると、図３３に示すように、第二の布地２０の本体部分２８、テープ部材１４０、第二の布地２０の折り重ね部分２７、第一の布地１０の順に積層されている。
【０１３２】
そして、錠縫いよって縫い通し、縫い目６０を形成する。この錠縫いは、第二の布地２０の本体部分２８、テープ部材１４０、第二の布地２０の折り重ね部分２７、第一の布地１０の順に積層されたものをロックステッチミシンを用いて行う。そして、この錠縫いは、テープ部材１４０の挿入した直後に行われるので、テープ部材１４０が外れることはない。
縫い目６０を形成させる位置は、インターロックミシンによって裁断した第一の布地１０、第二の布地２０、及びテープ部材１４０の端部と、前記した共縫い部分５０との中間部分であり、布の端部に近い部位である。なお、この縫い目６０を形成させる位置は、上記積層されたものを縫い付けることができれば、どの位置でもよい。
【０１３３】
縫い目６０の形成した後に、第二表面１２，２２側から１６０℃のプレス機により３０秒間加熱及び加圧を行い、テープ部材１４０により接着する。
【０１３４】
こうして製作された縫製結合部は、第一の布地１０と第二の布地２０及びテープ部材１４０が重ねられたものとなっている。そして第一の布地１０と第二の布地２０の端部は揃えられてかがり縫いされ、テープ部材１４０はかがり縫いされていない。また第一の布地１０と第二の布地２０は、共縫いした部分から折り開かれ、ワイシャツの裏面側においては、共縫い部分５０よりも先端側の部位が一方の布地の裏面に重ねられている。そして折り重ね部分の間にはテープ部材１４０が挿入されている。
また前記した布地の端部とかがり縫い部分の中間部に縫い目６０が設けられている。なお縫い目６０の位置は、前記した様に布地の端部と共縫い部分の中間部であるが、布地の端部に近い位置である。
さらに第二の布地２０の本体部及び裏面側部分とテープ部材１４０が強固に接着され、且つテープ部材１４０の一方の折り重ね片と他方の折り重ね片についても強固に接着されている。
したがって、本実施形態を用いることによって、縫い目６０にしわが生じにくい。
【０１３５】
なお、上記した実施形態では、テープ部材１４０は、図１２に示されるような布帛３７の両方の表面に熱接着性物質の層３８が設けられたテープ部材３０ｂを使用したが、片面だけに熱接着性物質の層３８が設けられたテープ部材３０ａを使用することもできる。
【０１３６】
続いて第五の実施形態について説明する。図３４乃至図３８は、本発明の第五実施形態を示す。また、図３４乃至図３７において、第一表面を太線で示す。
第五の実施形態は、第四の実施形態にさらに改良を加えたものである。具体的には、全体が熱接着性物質からなっている結合用テープ部材（結合媒体  第一シート状部材）１５２と、第四の実施形態で用いたテープ部材１４０と同様に、布帛の両面に熱接着性物質の層が設けられたものや、布帛の片面だけに熱接着性物質の層が設けられたテープ部材１５１（結合媒体  第二シート状部材）の二種類が用いられている。
【０１３７】
また、テープ部材１５１の厚みは０．２０〜０．３０ｍｍのものが望ましく、具体的には０．２５ｍｍ程度のものが用いられている。結合用テープ部材１５２の厚みは、０．０８ｍｍ〜０．１５ｍｍが望ましく、具体的には０．１１ｍｍのものが用いられている。そして、テープ部材１５１の厚みに対する結合用テープ部材１５２の厚みは、５０〜１００％程度である。
結合用テープ部材１５２の幅は、テープ部材１５１の幅よりも広い。
【０１３８】
次に、縫製工程について説明する。
最初の工程として、図３４及び図３５に示されるように、第一の布地１０、第二の布地２０、及び結合用テープ部材１５２を重ねる。
【０１３９】
次に、図３６に示されるように、インターロックミシンにより、第一の布地１０、第二の布地２０及び結合用テープ部材１５２をともに裁断することによりこれらの端部を揃え、この裁断と並行して第一の布地１０、第二の布地２０、及び結合用テープ部材１５２の裁断により生じた端部（裁ち目）１４，２４，１５３をかがり縫いして縫い目４０を形成させる。
またこの裁断及びかがり縫いと並行して、第一の布地１０、第二の布地２０、及び結合用テープ部材１５２を共縫いする。第一の布地１０、第二の布地２０、及び結合用テープ部材１５２を共縫いする位置は、テープ部材１５２の長手方向に沿って縫い進める。
【０１４０】
なお先の実施形態と同様、かがり縫いには縁かがり縫いを用い、端部と異なる部位における縫合には二重環縫いを用いる。
【０１４１】
そして第一の布地１０と第二の布地２０を縫い目（共縫い部分）５０から折り開く。
次いで重合部５５を図３７に示すように第二の布地２０側へ折り重ねる。このとき、テープ部材１５１を、前記した第四の実施形態のテープ部材１４０の様に、テープ部材１５１を第二の布地２０の間に挿入しながら、錠縫いよって縫い通し、縫い目６０を形成する。
なお、布帛の片面だけに熱接着性物質の層が設けられたテープ部材１５１を使用する場合は、熱接着性物質の層が第二の布地２０の本体部分２８側となる様にテープ部材１５１を挿入して行く。より具体的には、テープ部材１５１の糊剤が塗布された側が第二の布地２０の第二表面と接するようにテープ部材１５１を挿入する。
【０１４２】
このため、テープ部材１５１はかがり縫いされることは無く、完成した状態で表側からみると、かがり縫いの部分は第二の布地２０とテープ部材１５１によって覆われる。そのためかがり縫いの部分はテープ部材１５１によって隠蔽され、見栄えが良い。
また、テープ部材１５１は上述したように、厚めのものを採用することができるので、かがり縫いの跡が表側から透けにくく、特に、後述するように、プレス機により加熱及び加圧を行う工程を有するが、本実施形態の構造を採用することにより、かがり縫いの跡が透けにくい。
【０１４３】
当該部分における層構成をワイシャツの表面側から順次説明すると、図３８に示すように、第二の布地２０の本体部分２８、テープ部材１５１、結合用テープ部材１５２、第二の布地２０の折り重ね部分２７、第一の布地１０の順に積層されている。また、結合用テープ部材１５２は、折り返しの部分の層を第二の布地２０の本体部分２８とテープ部材１５１との間に有するが、その部分は短く部分的である。
【０１４４】
そして、錠縫いによって縫い通し、縫い目６０を形成する。この錠縫いは、第二の布地２０の本体部分２８、テープ部材１５１、結合用テープ部材１５２、第二の布地２０の折り重ね部分２７、第一の布地１０の順に積層されたものをロックステッチミシンを用いて行う。そして、この錠縫いは、テープ部材１５１の挿入した直後に行われるので、テープ部材１５１が外れることはない。
縫い目６０を形成させる位置は、インターロックミシンによって裁断した第一の布地１０、第二の布地２０、及び結合用テープ部材１５２の端部と、前記した共縫い部分５０との中間部分であり、布の端部に近い部位である。なお、この縫い目６０を形成させる位置は、上記積層されたものを縫い付けることができれば、どの位置でもよい。
【０１４５】
縫い目６０の形成した後に、第二表面１２，２２側から１６０℃のプレス機により３０秒間加熱及び加圧を行い、テープ部材１５１，結合用テープ部材１５２により接着する。
【０１４６】
こうして製作された縫製結合部は、第一の布地１０と第二の布地２０及びテープ部材１５１，結合用テープ部材１５２が重ねられたものとなっている。そして第一の布地１０と第二の布地２０の端部は揃えられてかがり縫いされ、テープ部材１５１はかがり縫いされていない。また第一の布地１０と第二の布地２０は、共縫いした部分から折り開かれ、ワイシャツの裏面側においては、共縫い部分５０よりも先端側の部位が一方の布地の裏面に重ねられている。そして折り重ね部分の間には第１テープ部材１５１が挿入されている。
また前記した布地の端部とかがり縫い部分の中間部に縫い目６０が設けられている。なお縫い目６０の位置は、前記した様に布地の端部と共縫い部分の中間部であるが、布地の端部に近い位置である。
さらに第二の布地２０の本体部及び裏面側部分とテープ部材１５１，結合用テープ部材１５２が強固に接着され、且つテープ部材１５１，結合用テープ部材１５２の一方の折り重ね片と他方の折り重ね片についても強固に接着されている。
したがって、本実施形態を用いることによって、縫い目６０にしわが生じにくい。
【０１４７】
本実施形態では、結合用テープ部材１５２は、その幅が、テープ部材１５１の幅よりも広いものを採用した。そのため図３８の様に、結合用テープ部材１５２は、折り返しの部分の層を第二の布地２０の本体部分２８とテープ部材１５１との間に有するが、その部分は短く部分的である。
この折り返し部分の長さは、用途に応じて適宜設定することができる。たとえば図３９に示すように、折り返し部分が全く存在しない構造であってもよい。
逆に図４０に示すように折り返し部分がテープ部材１５１の第一表面３１の全体を覆うものであってもよい。
【０１４８】
また上記した実施形態では、結合用テープ部材（第一シート状部材）１５２として全体が熱接着性物質からなっているものを使用し、隠蔽用のテープ部材（第二シート状部材）１５１として布帛の両面又は片面に熱接着性物質の層が設けられたものを採用したが、結合用テープ部材１５２として布帛の両面又は片面に熱接着性物質の層が設けられたものを採用してもよい。
【０１４９】
結合用テープ部材１５２として布帛の片面に熱接着性物質の層が設けられたものを採用する場合には、基材たる布帛が薄いものや、織り目の荒いものを採用することが望ましい。またこの様な結合用テープ部材を採用する場合には、熱接着性物質の層が第二の布地の折り重ね部分２７側となる様に配する。より正確には、熱接着性物質の層が第二の布地の折り重ね部分２７の第二表面と接する様に挿入してゆく。
すなわち結合用テープ部材１５２に期待される作用は、隠蔽用のテープ部材１５１を第二の布地の折り重ね部分２７に接着することであるから、布帛の片面に熱接着性物質の層が設けられた構造のものを採用する場合には、加熱時に片面に熱接着性物質が反対側の面に流れ込むことが望ましい。そのため前記した様に布帛の片面に熱接着性物質の層が設けられたものを採用する場合には、基材たる布帛が薄いものや、織り目の荒いものを採用することが推奨される。
【０１５０】
たとえば、結合用テープ部材１５２に、０．１５〜０．２０ｍｍ程度の厚さのものを採用し、隠蔽用のテープ部材１５１は、０．２０〜０．３０ｍｍ程度のものを採用することが望ましい。
すなわち隠蔽用のテープ部材１５１は結合用テープ部材１５２に対して１．３倍から２倍程度の厚さを有することが推奨される。
【０１５１】
続いて第六の実施形態について説明する。図４１，４２は、本発明の第六実施形態を示す。
第六の実施形態は、前記した第二の実施形態と、第五の実施形態の特徴及び長所を兼ね備えるものである。
第六の実施形態は、第二の布地２０の折り返し部分の中に二種類のテープ部材を挟み込んだものであり、さらに一方のテープ部材を二つ折りにしてその中に他方のテープ部材を挿入したものである。重ね合わせ構造については前記した第五の実施形態の図４０の構造と同一であるが、第五の実施形態では全てが溶融するテープ部材の中に、布帛を含むテープ部材を挟み込んでいたのに対し、第六の実施形態では、布帛を含むテープ部材３０ａを二つ折りにしてその間に全てが溶融するテープ部材１５２を挟み込んだ点が相違する。
すなわち本実施形態で使用するテープ部材３０ａは、第二の実施形態で使用したテープ部材３０ａと同様のものであり、綿とポリエステルの混紡糸を使用して平織りされた布帛３７を基材とし、その一方の面に熱接着性物質からなる糊剤が塗布されたものである。
一方、結合用テープ部材（結合媒体）１５２は、その全体が熱接着性物質から構成されている。
結合用テープ部材（結合媒体）１５２の幅は、テープ部材３０ａの幅の２分の１以下である。
【０１５２】
以下、縫製工程を追って説明する。
本実施形態のおける縫製工程は、かがり縫いの工程までは、前記した第二の実施形態と同一であり、それ以降の工程は、第五の実施形態に近い。
すなわち最初の工程として、先の第二の実施形態と同様、図１３，１４に示すように、第一の布地１０と、第二の布地２０とテープ部材３０ａを重ねる。
【０１５３】
次に、図１５に示すように、インターロックミシンにより、第一の布地１０、第二の布地２０、及びテープ部材３０ａをともに裁断することによりこれらの端部を揃え、この裁断と並行して第一の布地１０、第二の布地２０、及びテープ部材３０ａの裁断により生じた端部（裁ち目）１４，２４，３４をかがり縫いして縫い目４０を形成させる。
同時に、第一の布地１０、第二の布地２０、及びテープ部材３０ａを共縫いする。
【０１５４】
そして図４１に示すように、第一の布地１０と第二の布地２０を縫い目（共縫い部分）５０から折り開く。
【０１５５】
以下の工程は、第五の実施形態に近いものが採用されている。
すなわち第一の布地１０と第二の布地２０を縫い目（共縫い部分）５０から折り開き、次いで重合部を図４２に示すように第二の布地２０側へ折り重ねる。このとき、結合用テープ部材（結合媒体）１５２を、テープ部材３０ａの間に挿入しながら、錠縫いよって縫い通し、縫い目６０を形成する。
【０１５６】
このため、かがり縫い部分と第二の布地２０の間にテープ部材３０ａの折り返し側と結合用テープ部材（結合媒体）１５２が存在する。完成した状態で表側からみると、かがり縫いの部分は第二の布地２０とテープ部材３０ａの折り返し側及び結合用テープ部材（結合媒体）１５２によって覆われる。
【０１５７】
当該部分における層構成をワイシャツの表面側から順次説明すると、図４２に示すように、第二の布地２０の本体部分２８、テープ部材３０ａの一方の折り重ね片、結合用テープ部材（結合媒体）１５２、テープ部材３０ａの他方の折り重ね片、第二の布地２０の折り重ね部分２７、第一の布地１０の順に積層されている。
【０１５８】
そして前記した第二の布地２０の本体部分２８、テープ部材３０ａの一方の折り重ね片、結合用テープ部材（結合媒体）１５２、テープ部材３０ａの他方の折り重ね片、第二の布地２０の折り重ね部分２７、第一の布地１０をロックステッチミシンを用いて錠縫いによって縫い通し、縫い目６０を形成する。
【０１５９】
縫い目６０の形成に次いで、第二表面１２，２２側から１６０℃のプレス機により３０秒間加熱及び加圧を行い、テープ部材３０ａの糊剤及び結合用テープ部材（結合媒体）１５２を溶融させる。
本実施形態では、テープ部材３０ａの糊剤塗布面は、第二の布地２０と接しているから、テープ部材３０ａを加熱及び加圧することによって溶融した糊剤が第二の布地２０と接し、テープ部材３０ａは第二の布地２０の本体部分２８と折り重ね部分２７に接着される。
また結合用テープ部材（結合媒体）１５２は溶融し、テープ部材３０ａは、二つ折りになった状態で接着固定される。
【０１６０】
熱接着性物質が再び固化したときには、テープ部材３０ａを介して第二の布地２０の本体部分２８と折り重ね部分２７が一体的に結合され、さらにその間に、二重に重なって一体固化したテープ部材３０ａが挿入されている。そのため当該縫製部分は、これらによって硬化される。
【０１６１】
こうして製作された縫製結合部は、前述した第二の実施形態と略同様であり、図４２の通り、第一の布地１０と第二の布地２０及びテープ部材３０ａが重ねられたものとなっている。そして第一の布地１０と第二の布地２０及びテープ部材３０ａの端部は揃えられてかがり縫いされている。また、かがり縫い部分から幾分内側の部位であってテープ部材３０ａの幅方向中間部分に相当する部位で、第一の布地１０と第二の布地２０及びテープ部材３０ａの三者が共縫いされている。また第一の布地１０と第二の布地２０は、前記した共縫い部分５０から折り開かれ、ワイシャツの裏面側においては、共縫い部分５０よりも先端側の部位が一方の布地の裏面に重ねられている。そして折り重ね部分の間にはテープ部材３０ａが挿入されており、このテープ部材３０ａは、前記した共縫い部分５０に沿って、幅方向の中間部分から折り重ねられた状態で挿入されている。
また前記した布地の端部と共縫い部分の中間部に縫い目６０が設けられており、当該縫い目によって第二の布地２０の本体部分２８、テープ部材３０ａの一方の折り重ね片、テープ部材３０ａの他方の折り重ね片、第二の布地２０の裏面側部分（折り重ね部分２７）及び第一の布地１０の裏面側部分が縫い通されている。
【０１６２】
続いて第七の実施形態について説明する。図４３，４４，４５は、本発明の第七実施形態を示す。
第七の実施形態では、３種類のテープ部材を使用する。
本実施形態で使用する第一テープ部材１６０は、第二の実施形態で使用したテープ部材３０ａと同様のものであり、綿とポリエステルの混紡糸を使用して平織りされた布帛３７を基材とし、その一方の面に熱接着性物質からなる糊剤が塗布されたものである。
第二テープ部材１６１は、先の実施形態で使用した結合用テープ部材（結合媒体）１５２と同様のものであり、その全体が熱接着性物質から構成されている。
第三テープ部材１６２は、第一テープ部材１６０と同様に、綿とポリエステルの混紡糸を使用して平織りされた布帛を基材とし、その一方の面に熱接着性物質からなる糊剤が塗布されたものであるが、布帛部分の厚さが、第一テープ部材１６０のそれよりも厚い。
【０１６３】
以下、縫製工程を追って説明する。
最初の工程として、図４３に示すように、第一の布地１０と、第二の布地２０と第一テープ部材１６０及び第二テープ部材１６１を重ねる。ここで第一テープ部材１６０は、前記した様に一方の面にのみ糊剤が塗布されているが、糊剤塗布面が、第二の布地２０に接し、糊剤が無い面が第二テープ部材１６１と接する様に重ねる。
【０１６４】
次に、前述した他の実施形態と同様に、インターロックミシンにより、第一の布地１０、第二の布地２０、第一テープ部材１６０及び第二テープ部材１６１をともに裁断することによりこれらの端部を揃え、この裁断と並行して裁断により生じた端部をかがり縫いする。
同時に、第一の布地１０、第二の布地２０、第一テープ部材１６０及び第二テープ部材１６１を共縫いして共縫い部分５０を形成させる。
【０１６５】
そして図４４に示すように、第一の布地１０と第二の布地２０を共縫い部分５０から折り開開き、次いで重合部を図４５に示すように第二の布地２０側へ折り重ねる。このとき第三テープ部材１６２を、第二の布地２０の本体部分２８と、第二テープ部材１６１の間に挿入しながら、錠縫いよって縫い通し、縫い目６０を形成する。なお、第三テープ部材１６２は、前記した様に一方の面にのみ糊剤が塗布されているが、糊剤塗布面が、第二の布地２０に接し、糊剤が無い面が第二テープ部材１６１と接する様に挿入する。
【０１６６】
このため、第三テープ部材１６２はかがり縫いされることは無く、完成した状態で表側からみると、かがり縫いの部分は第二の布地２０と第三テープ部材１６２によって覆われる。また、第三テープ部材１６２は上述したように、厚めのものを採用されているので、かがり縫いの跡が表側から透けにくく、外観性が向上する。
【０１６７】
当該部分における層構成をワイシャツの表面側から順次説明すると、図４４に示すように、第二の布地２０の本体部分２８、第三テープ部材１６２、第二テープ部材１６１、第一テープ部材１６０、第二の布地２０の折り重ね部分２７、第一の布地１０の順に積層されている。
【０１６８】
縫い目６０の形成に次いで、先の実施形態と同様、プレス機により加熱及び加圧を行い、第一テープ部材１６０及び第三テープ部材１６２に塗布された糊剤部分及び第二テープ部材１６１の全体を溶融させる。
本実施形態では、第一テープ部材１６０の糊剤塗布面は、第二の布地２０の折り重ね部分２７と接しているから、第一テープ部材１６０を加熱及び加圧することによって溶融した糊剤が第二の布地２０の折り重ね部分２７と接し、第一テープ部材１６０は第二の布地２０の折り重ね部分２７に接着される。
【０１６９】
また第三テープ部材１６２の糊剤塗布面は、第二の布地２０の本体部分２８と接しているから、第一テープ部材１６２を加熱及び加圧することによって溶融した糊剤が第二の布地２０の本体部分２８と接し、第一テープ部材１６０は第二の布地２０の本体部分２８に接着される。
また第一テープ部材１６０及び第三テープ部材１６２は、第二テープ部材１６１によって接合される。すなわち第一テープ部材１６０及び第三テープ部材１６２は、いずれも片方だけに糊剤が塗布されているが、糊剤が塗布されていない面同士は、第二テープ部材１６１を介して接している。そして第二テープ部材１６１は、全体が熱によって溶融するものであるから、第二テープ部材１６１を加熱及び加圧することによって溶融した糊剤が第一テープ部材１６０と第二テープ部材１６１を接合させる。
【０１７０】
熱接着性物質が再び固化したときには、第二の布地２０の本体部分２８と折り重ね部分２７が一体的に結合され、さらにその間に、二重に重なって一体固化したテープ部材３０ａが挿入されている。そのため当該縫製部分は、これらによって硬化される。
【０１７１】
こうして製作された縫製結合部は、図４５の通り、第一の布地１０と第二の布地２０、第一テープ部材１６０、第二テープ部材１６１及び第三テープ部材１６２が重ねられたものとなっている（実際には第二テープ部材１６１は溶けて原型を止めていない）。
そして第一の布地１０と第二の布地２０と第一テープ部材１６０及び第二テープ部材１６１の端部は揃えられてかがり縫いされている。また、かがり縫い部分から幾分内側の部位において、第一の布地１０と第二の布地２０と第一テープ部材１６０及び第二テープ部材１６１の四者が共縫いされている。また第一の布地１０と第二の布地２０は、前記した共縫い部分５０から折り開かれ、ワイシャツの裏面側においては、共縫い部分５０よりも先端側の部位が一方の布地の裏面に重ねられている。そして折り重ね部分の間には第一テープ部材１６０、第二テープ部材１６１及び第三テープ部材１６２が挿入されている。
また前記した布地の端部と共縫い部分の中間部に縫い目６０が設けられており、当該縫い目によって第二の布地２０の本体部分２８、第三テープ部材１６２、第二テープ部材１６１、第一テープ部材１６０第二の布地２０の裏面側部分（折り重ね部分２７）及び第一の布地１０の裏面側部分が縫い通されている。
【０１７２】
本明細書においては、袖の様な筒状部分に本発明を適用する例を第二実施形態の説明部分で述べたが、もちろん他の実施形態についても同様に袖の部分に応用可能である。
【０１７３】
またヨーク部分に適用する場合も第二実施形態の説明部分で述べたが、もちろん他の実施形態についても同様に袖の部分に応用可能である。
【０１７４】
第３実施形態におけるかがり縫いの端部から第二の布地を折り返す構造は、他の実施形態にも適用可能である。
【図面の簡単な説明】
【０１７５】
【図１】本発明の第一の実施形態の衣料の製造方法において、第一の布地、第二の布地、及びテープ部材の重ね方を模式的に示す斜視図である。
【図２】図１のＡ−Ａ矢視断面図である。
【図３】本発明の第一の実施形態の衣料の製造方法において、第一の布地、第二の布地、及びテープ部材をインターロックミシンで裁断しつつ縫製しているところを模式的に示す斜視図である。
【図４】本発明の第一の実施形態の衣料の製造方法において、裁断と縫製を終えた後、第一の布地を反転して拡げたところを示す斜視図である。
【図５】図４に示した形状から重合部を第二の布地側へ倒したところを示す斜視図である。
【図６】図５のＢ−Ｂ矢視断面を模式的に示す断面図である。
【図７】図６に縫い糸を書き加えた模式図である。
【図８】本発明の第一の実施形態の衣料の製造方法において、加熱と加圧により結合された第一の布地及び第二の布地を示す斜視図である。
【図９】図８を表側（第一表面側）から見たところを示す正面図である。
【図１０】本発明の衣料の製造方法によって製造される衣料の正面図である。
【図１１】本発明の衣料の製造方法において使用する結合媒体の他の実施形態を模式的に示す斜視図である。
【図１２】本発明の衣料の製造方法において使用する結合媒体のさらに他の実施形態を模式的に示す斜視図である。
【図１３】本発明の第二の実施形態の衣料の製造方法において、第一の布地、第二の布地、及びテープ部材の重ね方を模式的に示す斜視図である。
【図１４】図１３のＡ−Ａ矢視断面図である。
【図１５】本発明の第二の実施形態の衣料の製造方法において、第一の布地、第二の布地、及びテープ部材をインターロックミシンで裁断しつつ縫製しているところを模式的に示す斜視図である。
【図１６】本発明の第二の実施形態の衣料の製造方法において、裁断と縫製を終えた後、第一の布地を反転して拡げたところを示す斜視図である。
【図１７】図４に示した形状から重合部を第二の布地側へ倒したところを示す斜視図である。
【図１８】本発明の第二の実施形態における布帛の結合部分を模式的に示す断面図である。
【図１９】本発明の第二の実施形態の衣料の製造方法において、加熱と加圧により結合された第一の布地及び第二の布地を示す斜視図である。
【図２０】本発明の衣料の製造方法によって製造されるワイシャツの袖の断面図である。
【図２１】本発明の衣料の製造方法によって製造されるワイシャツのヨーク部分の断面斜視図である。
【図２２】本発明の第二の実施形態における布帛の結合部分であって、両面に熱接着性物質の層を有するテープ部材を用いた場合における布帛の結合部分を模式的に示す断面図である。
【図２３】本発明の第三の実施形態の衣料の製造方法において、第一の布地、第二の布地、及びテープ部材の重ね方を模式的に示す斜視図である。
【図２４】図２３のＡ−Ａ矢視断面図である。
【図２５】本発明の第三の実施形態の衣料の製造方法において、第一の布地、第二の布地、及びテープ部材をインターロックミシンで裁断しつつ縫製しているところを模式的に示す斜視図である。
【図２６】本発明の第三の実施形態の衣料の製造方法において、裁断と縫製を終えた後、第一の布地を反転して拡げたところを示す斜視図である。
【図２７】図２６に示した形状から重合部を第二の布地側へ倒したところを示す斜視図である。
【図２８】本発明の第三の実施形態における布帛の結合部分を模式的に示す断面図である。
【図２９】本発明の第四の実施形態の衣料の製造方法において、第一の布地、第二の布地の重ね方を模式的に示す斜視図である。
【図３０】図２９のＡ−Ａ矢視断面図である。
【図３１】本発明の第四の実施形態の衣料の製造方法において、第一の布地、第二の布地をインターロックミシンで裁断しつつ縫製しているところを模式的に示す斜視図である。
【図３２】本発明の第四の実施形態の衣料の製造方法において、裁断と縫製を終えた後、第一の布地を反転して拡げた状態で、重合部を第二の布地側へ倒し、テープ部材を挿入しながら縫製している状態を示す斜視図である。
【図３３】本発明の第四の実施形態における布帛の結合部分を模式的に示す断面図である。
【図３４】本発明の第五の実施形態の衣料の製造方法において、第一の布地、第二の布地及びテープ部材の重ね方を模式的に示す斜視図である。
【図３５】図３４のＡ−Ａ矢視断面図である。
【図３６】本発明の第五の実施形態の衣料の製造方法において、第一の布地、第二の布地をインターロックミシンで裁断しつつ縫製しているところを模式的に示す斜視図である。
【図３７】本発明の第五の実施形態の衣料の製造方法において、裁断と縫製を終えた後、第一の布地を反転して拡げた状態で、重合部を第二の布地側へ倒し、テープ部材を挿入しながら縫製している状態を示す斜視図である。
【図３８】本発明の第五の実施形態における布帛の結合部分を模式的に示す断面図である。
【図３９】本発明の第五の実施形態の変形例における布帛の結合部分を模式的に示す断面図である。
【図４０】本発明の第五の実施形態の他の変形例における布帛の結合部分を模式的に示す断面図である。
【図４１】本発明の第六の実施形態の衣料の製造方法において，裁断と縫製を終えた後、第一の布地を反転して拡げたところを示す斜視図である。
【図４２】本発明の第六の実施形態における布帛の結合部分を模式的に示す断面図である。
【図４３】本発明の第七の実施形態の衣料の製造方法において、第一の布地、第二の布地及びテープ部材の重ね方を模式的に示す斜視図である。
【図４４】本発明の第七の実施形態の衣料の製造方法において、裁断と縫製を終えた後、第一の布地を反転して拡げた状態で、重合部を第二の布地側へ倒し、テープ部材を挿入しながら縫製している状態を示す斜視図である。
【図４５】本発明の第七の実施形態における布帛の結合部分を模式的に示す断面図である。
【符号の説明】
【０１７６】
１０    第一の布地
１１    第一の布地の第一表面
１２    第一の布地の第二表面
１４    端部（裁ち目）
２０    第二の布地
２１    第二の布地の第一表面
２２    第二の布地の第二表面
２４    端部（裁ち目）
２６    折り目
３０，３０ａ，３０ｂ  テープ部材（シート状部材）
３１    結合媒体の第一表面
３２    結合媒体の第二表面
３４    端部（裁ち目）
２７    折り重ね部分
２８    本体部分
３７    布帛
４０    縫い目
５０    縫い目（共縫い部分）
５５    重合部
７０    ワイシャツ
７３    袖
１３１  第一テープ部材（シート状部材）
１３２  第二テープ部材（シート状部材）
１４０  テープ部材（シート状部材）
１５１  テープ部材（シート状部材）
１５２  結合用テープ部材（シート状部材）
１６０  第一テープ部材（シート状部材）
１６２  第三テープ部材（シート状部材）
【図１】
2005105475.tif 000003
【図２】
2005105475.tif 000004
【図３】
2005105475.tif 000005
【図４】
2005105475.tif 000006
【図５】
2005105475.tif 000007
【図６】
2005105475.tif 000008
【図７】
2005105475.tif 000009
【図８】
2005105475.tif 000010
【図９】
2005105475.tif 000011
【図１０】
2005105475.tif 000012
【図１１】
2005105475.tif 000013
【図１２】
2005105475.tif 000014
【図１３】
2005105475.tif 000015
【図１４】
2005105475.tif 000016
【図１５】
2005105475.tif 000017
【図１６】
2005105475.tif 000018
【図１７】
2005105475.tif 000019
【図１８】
2005105475.tif 000020
【図１９】
2005105475.tif 000021
【図２０】
2005105475.tif 000022
【図２１】
2005105475.tif 000023
【図２２】
2005105475.tif 000024
【図２３】
2005105475.tif 000025
【図２４】
2005105475.tif 000026
【図２５】
2005105475.tif 000027
【図２６】
2005105475.tif 000028
【図２７】
2005105475.tif 000029
【図２８】
2005105475.tif 000030
【図２９】
2005105475.tif 000031
【図３０】
2005105475.tif 000032
【図３１】
2005105475.tif 000033
【図３２】
2005105475.tif 000034
【図３３】
2005105475.tif 000035
【図３４】
2005105475.tif 000036
【図３５】
2005105475.tif 000037
【図３６】
2005105475.tif 000038
【図３７】
2005105475.tif 000039
【図３８】
2005105475.tif 000040
【図３９】
2005105475.tif 000041
【図４０】
2005105475.tif 000042
【図４１】
2005105475.tif 000043
【図４２】
2005105475.tif 000044
【図４３】
2005105475.tif 000045
【図４４】
2005105475.tif 000046
【図４５】
2005105475.tif 000047